(57)【特許請求の範囲】
【請求項１】
表面クリーニング装置であって
（ａ）汚染空気入口を有する前端と、清浄空気出口と、水平に置かれた状態における上端と、下端とを有するハンディ型バキュームクリーナであって、
（ｉ）ハンドルを含み吸引モータを収容する本体であって、前記吸引モータは吸引モータ回転軸を有し、前記ハンドルは、前記ハンディ型バキュームクリーナの前記上端が前記下端上方にある位置にあるとき、上方及び前方に延びる銃型のグリップのハンドグリップ部を有する、本体と、
（ｉｉ）前記本体の前端に設けられたサイクロンユニットであって、サイクロン空気入口と、サイクロン空気出口と、サイクロン回転軸と、前端と、後端とを有するサイクロンチャンバを備え、空気は前記ハンディ型バキュームクリーナの前端からハンディ型バキュームクリーナに入り、前記サイクロンチャンバの後端から出る、サイクロンユニットと、
（ｉｉｉ）一以上のバッテリであって、前記一以上のバッテリは、前記銃型のグリップのハンドルの下端に位置する、バッテリと、
を含む、ハンディ型バキュームクリーナと、
（ｂ）前端と、後端と、クリーニングヘッド汚染空気入口と、クリーニングヘッド空気出口とを有する表面クリーニングヘッドと、
（ｃ）前記クリーニングヘッド空気出口と前記ハンディ型バキュームクリーナの汚染空気入口との間に延び、前記サイクロン回転軸に平行な長手方向に延びる導管軸を有する、剛性の空気流導管と、を備え、
前記ハンディ型バキュームクリーナは、前記剛性の空気流導管の下流端に取り外し可能に取り付けられ、ハンディ型バキュームクリーナが前記剛性の空気流導管の下流端に取り付けられたとき、前記ハンドルは前記表面クリーニング装置の駆動ハンドルとなり、前記サイクロン回転軸は前記長手方向に延びる導管軸と同じ方向に延び、
前記ハンディ型バキュームクリーナの汚染空気入口は、前記サイクロン回転軸に平行な入口軸を有し、前記吸引モータ回転軸は、前記サイクロン回転軸に平行であり、前記入口軸は、前記サイクロン回転軸に直交する方向において前記吸引モータ回転軸から間隔を空けて配されることにより、前記ハンディ型バキュームクリーナの上端が下端上方にある位置にあるとき、前記ハンディ型バキュームクリーナの上端に前記ハンディ型バキュームクリーナの汚染空気入口がある、
表面クリーニング装置。
【請求項２】
前記サイクロン回転軸は、前記ハンドルに交差する、請求項１に記載の表面クリーニング装置。
【請求項３】
前記サイクロン回転軸は、前記ハンドグリップ部に交差する、
請求項１に記載の表面クリーニング装置。
【請求項４】
前記サイクロンチャンバの前端及び後端の間にサイクロン側壁が延び、ハンディ型バキュームクリーナがサイクロン回転軸が水平方向に延びるように配されたとき、前記サイクロン側壁の下部は、前記サイクロンチャンバの外側の集塵チャンバから前記サイクロンチャンバを分離させる内部壁を形成する、
請求項１に記載の表面クリーニング装置。
【請求項５】
前記内部壁内には塵出口が設けられている、
請求項４に記載の表面クリーニング装置。
【請求項６】
前記塵出口は、前記サイクロン空気入口を有するサイクロンチャンバの一端から間隔を空けた前記内部壁の一端に設けられている、
請求項５に記載の表面クリーニング装置。
【請求項７】
前記サイクロン空気入口は、前記サイクロンチャンバの前端にある、
請求項６に記載の表面クリーニング装置。
【請求項８】
前記サイクロン空気出口は、前記ハンドルに交差する軸を有する、
請求項７に記載の表面クリーニング装置。
【請求項９】
前記サイクロン空気出口は、前記ハンドルに交差する軸を有する、
請求項１に記載の表面クリーニング装置。
【請求項１０】
前記サイクロンユニットは、前記本体部上において、前記吸引モータの前方の位置に設けられている、
請求項１に記載の表面クリーニング装置。
【請求項１１】
前記本体は、前記吸引モータを収容するモータ筐体を含み、前記ハンドグリップ部は、前記モータ筐体に交差するハンドグリップ軸を有する、
請求項１に記載の表面クリーニング装置。
【請求項１２】
前記ハンドグリップ部は、前記吸引モータ回転軸に交差するハンドグリップ軸を有する、請求項１に記載の表面クリーニング装置。
【請求項１３】
前記サイクロン回転軸はほぼ水平であり、前記サイクロンチャンバの下方に集塵チャンバがあり、前記ハンドグリップ部は垂直線に対して前方向に傾斜して延びる、
請求項１に記載の表面クリーニング装置。
【請求項１４】
前記ハンディ型バキュームクリーナの汚染空気入口は、入口端と出口端間に長手方向に延び長手流路軸を有する入口流路を含み、前記出口端は前記サイクロン空気入口に連通し、前記長手流路軸は前記サイクロン回転軸にほぼ平行である、
請求項１に記載の表面クリーニング装置。
【請求項１５】
前記サイクロンユニットは前記本体に取り外し可能に取り付けられる、
請求項１に記載の表面クリーニング装置。
【請求項１６】
前記剛性の空気流導管は、前記表面クリーニングヘッドに取り外し可能に取り付けられる、
請求項１に記載の表面クリーニング装置。
【請求項１７】
前記吸引モータは、前記ハンディ型バキュームクリーナの前記下端に位置する、
請求項１に記載の表面クリーニング装置。
【請求項１８】
前記一以上のバッテリは、前記吸引モータから軸方向に間隔を空けて配されている、
請求項１に記載の表面クリーニング装置。
【請求項１９】
前記一以上のバッテリは、前記吸引モータの後方に位置する、
請求項１に記載の表面クリーニング装置。
【発明の詳細な説明】
【技術分野】
【０００１】
本開示は、表面クリーニング装置の分野に関する。幾つかの態様において、本開示は、スティックバキュームクリーナであって、ハンディ型バキュームクリーナが取り外し可能に駆動ハンドル部に取り付けられ、ハンディ型バキュームクリーナによって汚染空気を表面クリーニングヘッド内に吸込むための原動力が提供されるような種類のスティックバキュームクリーナに関する。
【背景技術】
【０００２】
様々な種類の表面クリーニング装置が知られており、直立バキュームクリーナ、スティックバキュームクリーナ、ハンディ型バキュームクリーナ、キャニスタ式バキュームクリーナがある。スティックバキュームクリーナやハンディ型バキュームクリーナは、より小型化され、小さい領域の清掃又はこぼしたものを綺麗に清掃する必要があるときに使用可能であり人気がある。ハンディ型バキュームクリーナ即ちハンドクリーナ（ｈａｎｄｖａｃ）は、軽量で床上の清掃や届きにくい場所の清掃が可能であるという利点を有する。しかしながら、これらのクリーナの集塵能力には限界がある。直立バキュームクリーナを使えば、床を清掃でき、床上の清掃用に取り外し可能に取り付けられたポッドを有するものもある。このような場合、ポッドは、サイクロン等の集塵チャンバと、直立バキュームクリーナ用の吸引モータとを備える。但し、このようなポッドは直立バキュームクリーナ用の総集塵能力を備えるものであるために、嵩高くなりがちである。
【発明の概要】
【０００３】
本開示の一態様によれば、スティックバキュームクリーナが提供され、取り外し可能なハンディ型バキュームクリーナと、ハンディ型バキュームクリーナがスティックバキュームクリーナの一部を形成する場合には主集塵容器として機能し得る補足容器とをさらに備える。このような設計の利点は、補足容器によって、スティックバキュームクリーナの集塵能力が強化されることである。補足容器は、小さい即ち狭い区間において清掃をするため等のより小型の補足容器が望ましい場合に、スティックバキュームクリーナを小さくするために取り外し可能である。補足容器は更に、一以上のサイクロン式段階等の空気処理部材を備えてもよい。空気処理部材は、取り外し可能なハンディ型バキュームクリーナの空気処理部材の上流にあってよい。
【図面の簡単な説明】
【０００４】
【図１】少なくとも一つの実施形態に係る表面クリーニング装置の正面斜視図
【０００５】
【図２】図１の装置の背面斜視図
【０００６】
【図３】図１の装置の側面図
【０００７】
【図４】補足集塵チャンバを一部除いた図１の装置の正面斜視図
【０００８】
【図５】別の実施形態に係る表面クリーニング装置の正面斜視図
【０００９】
【図６】図５の装置の分解正面斜視図
【００１０】
【図６ａ】図５の代替装置の分解正面斜視図
【００１１】
【図７】別の実施形態に係る表面クリーニング装置の正面斜視図
【００１２】
【図８】補足サイクロン容器アセンブリを一部除いた図７の装置の正面斜視図
【００１３】
【図９】図１の線２１−２１に沿う断面図
【００１４】
【図１０】図１の装置のハンドクリーナの底面斜視図
【００１５】
【図１１】図１０のハンドクリーナのサイクロン容器アセンブリのサイクロン軸を横切る断面斜視図
【００１６】
【図１１ａ】図１１の断面の平面図
【００１７】
【図１２】図１の装置の補足集塵チャンバの正面斜視図
【００１８】
【図１３】図５の線２５−２５に沿う断面図
【００１９】
【図１４】図７の線２６−２６に沿う断面図
【００２０】
【図１５】軽量直立モードの図１の装置の正面斜視図
【００２１】
【図１６】図１５の軽量直立モードの図１の装置の背面斜視図
【００２２】
【図１７】図１５の軽量直立モードの図１の装置の側面図
【００２３】
【図１８】図１５の線３０−３０に沿う断面図
【００２４】
【図１９】床上清掃直立モードの図１の装置の正面斜視図
【００２５】
【図２０】図１９の床上清掃モードの図１の装置の背面斜視図
【００２６】
【図２１】図１９の床上清掃モードの図１の装置の側面図
【００２７】
【図２２】軽量直立モードの図７の装置の正面斜視図
【００２８】
【図２３】図２２の軽量直立モードの図７の装置の背面斜視図
【００２９】
【図２４】図２２の軽量直立モードの図７の装置の正面図
【００３０】
【図２５】図２２の軽量直立モードの図７の装置の背面図
【００３１】
【図２６】図２２の軽量直立モードの図７の装置の側面図
【００３２】
【図２７】図２２の軽量直立モードの図７の装置の平面図
【００３３】
【図２８】図２２の軽量直立モードの図７の装置の底面図
【００３４】
【図２９】図２２の線４４−４４に沿う断面図
【００３５】
【図２９ａ】床上清掃直立モードの図７の装置の斜視図
【００３６】
【図２９ｂ】図２９ａの床上清掃モードの図７の装置の別の斜視図
【００３７】
【図３０】図１２の補足集塵チャンバの背面斜視図
【００３８】
【図３１】図１２の補足集塵チャンバの側面図
【００３９】
【図３２】別の実施形態に係る表面クリーニング装置の正面斜視図
【００４０】
【図３３】閉位置の切り替え弁を備える図７の装置の直立部の正面斜視図
【００４１】
【図３４】切り替え弁のペダル上に固定されたサイクロン容器アセンブリを有する図３３の直立部の正面斜視図
【００４２】
【図３５】柄に接続されたサイクロン容器アセンブリと開位置の切り替え弁とを備えた、図３３の直立部の正面斜視図
【００４３】
【図３６】図３３の線５５−５５に沿う断面図
【００４４】
【図３７】図３４の線５６−５６に沿う断面図
【００４５】
【図３８】図３５の線５７−５７に沿う断面図
【００４６】
【図３９】閉位置の別の切り替え弁を備える図７の装置の直立部の正面斜視図
【００４７】
【図４０】柄に接続されたサイクロン容器アセンブリと閉位置の切り替え弁とを備えた、図３９の直立部の正面斜視図
【００４８】
【図４１】柄に接続されたサイクロン容器アセンブリと開位置の切り替え弁とを備えた、図３９の直立部の正面斜視図
【００４９】
【図４２】図３９の線６１−６１に沿う断面図
【００５０】
【図４３】図４０の線６２−６２に沿う断面図
【００５１】
【図４４】図４１の線６３−６３に沿う断面図
【００５２】
【図４５】閉位置の別の切り替え弁を備える図７の装置の直立部の正面斜視図
【００５３】
【図４６】一部開いた位置の切り替え弁を備えた、図４５の直立部の正面斜視図
【００５４】
【図４７】開位置の切り替え弁を備え、柄に取り付けた、図４５の直立部の正面斜視図
【００５５】
【図４８】図４５の直立部の断面図
【００５６】
【図４９】図４５の直立部の別の断面図
【００５７】
【図５０】図４９の一部拡大図
【００５８】
【図５１】図４６の線７０−７０に沿う断面図
【００５９】
【図５２】図４７の線７１−７１に沿う断面図
【００６０】
【図５３】閉位置の別の切り替え弁を備える図７の装置の直立部の正面斜視図
【００６１】
【図５４】柄に接続され、開位置の切り替え弁を備えた、図５３の直立部の正面斜視図
【００６２】
【図５５】柄に接続され、開位置の切り替え弁を備えた、図５３の直立部の正面斜視図
【００６３】
【図５６】図５３の線７５−７５に沿う断面図
【００６４】
【図５７】図５４の線７６−７６に沿う断面図
【００６５】
【図５８】図５５の線７７−７７に沿う断面図
【００６６】
【図５９】表面クリーニングヘッドの後輪を収納した、リクライニング使用位置にある図０の装置の側面図
【００６７】
【図６０】図１０の線９６−９６に沿う断面図
【００６８】
【図６１ａ】図１の装置のハンドクリーナの底面斜視図
【００６９】
【図６１ｂ】図６１ａの線９７ｂ−９７ｂに沿う部分断面図
【００７０】
【図６２ａ】開口扉を有する図１の装置のハンドクリーナの底面斜視図
【００７１】
【図６２ｂ】図６２ａの線９８ｂ−９８ｂに沿う部分断面図
【００７２】
【図６３】直立部から取り外されたハンドクリーナと第一の閉位置のバイパス弁とを有する表面クリーニング装置の部分断面図
【００７３】
【図６４】直立部と接続されたハンドクリーナと第一の閉位置のバイパス弁とを有する図６３の表面クリーニング装置の断面図
【００７４】
【図６５】直立部と接続されたハンドクリーナと、補足サイクロン容器アセンブリと、第二の開位置のバイパス弁とを有する図６３の表面クリーニング装置の断面図
【００７５】
【図６６】補足サイクロン容器アセンブリ内にバイパス空気流路と予備モータフィルタとを有する表面クリーニング装置の断面図
【００７６】
【図６７】表面クリーニングヘッド内に清浄空気吸引モータを有する表面クリーニング装置の断面図
【００７７】
【図６８ａ】補足サイクロン容器アセンブリ内に清浄空気吸引モータを有する表面クリーニング装置の断面図
【００７８】
【図６８ｂ】補足サイクロン容器アセンブリ内に清浄空気吸引モータを有する別の表面クリーニング装置の断面図
【００７９】
【図６９ａ】直立部から取り外された補足サイクロン容器アセンブリを有する表面クリーニング装置の斜視図
【００８０】
【図６９ｂ】直立部から取り外されたサイクロンチャンバと集塵チャンバとを有する表面クリーニング装置の斜視図
【００８１】
【図７０】複数の並列サイクロンチャンバを有する表面クリーニング装置の断面図
【００８２】
【図７１ａ】ハンドクリーナ内の清浄空気吸引モータと直列に表面クリーニングヘッド内の汚染空気吸引モータを有する表面クリーニング装置の断面図
【００８３】
【図７１ｂ】補足サイクロン容器アセンブリを取り外した図７１ａの表面クリーニング装置の断面図
【００８４】
【図７２】ハンドクリーナ内の清浄空気吸引モータと直列に表面クリーニングヘッド内の清浄空気吸引モータを有する表面クリーニング装置の断面図
【００８５】
【図７３ａ】ハンドクリーナ内の清浄空気吸引モータと直列に補足サイクロン容器アセンブリ内の清浄空気吸引モータを有する表面クリーニング装置の断面図
【００８６】
【図７３ｂ】ハンドクリーナ吸引モータと補足サイクロン容器アセンブリの吸引モータとを接続するホースを備えた図７３ａの表面クリーニング装置の断面図
【００８７】
【図７４】ハンドクリーナをバイパスする空気流を有する表面クリーニング装置の断面図
【発明を実施するための形態】
【００８８】
本出願において多くの実施形態について説明するが、これらの実施形態は単に例示的な目的のために示す。記載した実施形態は、いかなる意味においても限定的なものではない。本明細書の開示内容から容易にわかるように、本発明は多くの実施形態に広く適用可能である。当業者であれば、本明細書に開示の教示内容から逸脱することなく本発明に改良及び変更を加えて実施可能であることを理解されるであろう。本発明の特定の特徴について、一以上の特定の実施形態または図面を参照して説明をするが、このような特徴は、参照した一以上の実施形態又は図面での使用に限定されるものではないことを理解されたい。
【００８９】
「一つの実施形態」、「実施形態」、「複数の実施形態」、「この実施形態」、「これらの実施形態」、「一以上の実施形態」、「幾つかの実施形態」、及び「一実施形態」という用語は、別に記載がなければ、「本発明の一以上の（但し全てとは限らない）実施形態」を意味する。
【００９０】
「含む」、「備える」及びこれらを変形させた用語は、別に記載がなければ、「〜を含むがこれに限定されるものではない」ことを意味する。項目の列挙は、別に記載がなければ、これらの項目のいずれか又は全てが互いに排他的であることを意味するものではない。単数で示した要素については、別に記載がなければ、「一以上」の要素を意味する。
【００９１】
明細書並びに請求項で使用されるように、２つ以上の部品を「連結」、「接続」、「取り付け」又は「固定」するとは、関連が起こるように、これらの部品を直接的又は間接的（即ち、一以上の中間部品を介して）につないで共に動作させることをいう。明細書並びに請求項で使用されるように、２つ以上の部品を「直接連結」、「直接接続」、「直接取り付け」又は「直接固定」するとは、これらの部品を物理的に接触させて直接接続することをいう。明細書で使用されるように、２つ以上の部品を「しっかり（ｒｉｇｉｄｌｙ）連結」、「しっかり接続」、「しっかり取り付け」又は「しっかり固定」するとは、これらの部品が互いに一定の向きを維持しながら一体となって移動するように連結することをいう。「連結」、「接続」、「取り付け」、及び「固定」という用語によって、２つ以上の部品をつなぐ方法を区別するわけではない。
総括
【００９２】
図１〜図３を参照すると、第一の実施形態に係る表面クリーニング装置１００が示される。図示した実施形態において、表面クリーニング装置１００は、スティックバキュームクリーナと呼ばれる種類の直立バキュームクリーナである。図示するように、表面クリーニング装置１００は、表面クリーニングヘッド１０４と、直立部１０８と、手で持ち運べるバキュームクリーナ１１２（ハンドクリーナ又はハンディ型バキュームクリーナ１１２とも呼ぶ）とを備える。
【００９３】
直立部１０８は、表面クリーニングヘッド１０４に移動可能に且つ駆動可能に（ｄｒｉｖｉｎｇｌｙ）接続されてもよい。例えば、直立部１０８は、表面クリーニングヘッド１０４に恒久的に又は取り外し可能に接続され、旋回自在継ぎ手１１６等によって収納位置から使用位置へと移動するよう移動可能に取り付けられてもよい。継ぎ手１１６により、直立部１０８は、表面クリーニングヘッド１０４に対して水平軸を中心に旋回（即ち回転）が可能である。従って、直立部１０８は、リクライニングされた複数の床清掃位置にて位置決め可能となるよう後方に回転可能である（例えば図５９を参照）。
【００９４】
直立部１０８は更に、表面クリーニングヘッド１０４を操作するべく表面クリーニングヘッド１０４に操縦可能に接続されてもよい。例えば、継ぎ手１１６は、スイベルジョイントであってもよい。
【００９５】
ハンドクリーナ１１２は、直立部１０８に取り外し可能に接続されてもよい。直立部１０８に取り付けると、ユーザはハンドクリーナ１１２を握って直立部１０８を操作して、清掃すべき表面全体に表面クリーニングヘッド１０４を操縦可能である。従って、ハンドクリーナ１１２が直立部１０８に取り付けられると、ハンドル４８４が表面クリーニング装置１００の駆動ハンドルである。
【００９６】
表面クリーニング装置１００は、少なくとも一つの汚染空気入口、一つの清浄空気出口、及びこれらの入口と出口との間に延びる空気流路を有する。図示した例において、表面クリーニングヘッド１０４の下端１２０に汚染空気入口１２４があり、ハンドクリーナ１１２の後端１２８に清浄空気出口１３２がある。空気流路は、汚染空気入口１２４から、表面クリーニングヘッド１０４、直立部１０８、ハンドクリーナ１１２を介して、清浄空気出口１３２へと延びる。
【００９７】
例示するように、少なくとも一つの吸引モータ、好ましくは唯一の吸引モータと、唯一の空気処理部材であってもよい一つの空気処理部材とがハンドクリーナ１１２の内部に設けられ、表面クリーニングヘッド１０４及び任意的に直立部１０８から取り外された場合に、ハンドクリーナ１１２が独立して動作可能となる。なお、少なくとも一つの吸引モータと少なくとも一つの空気処理部材とが空気流路内に配置され、塵や破片等を空気流から分離するが、明細書に開示の他の態様と共に使用される場合には、表面クリーニングヘッド１０４、直立部１０８、及び／又はハンドクリーナ１１２内に更なる吸引モータ及び／又は更なる空気処理部材を設けてもよい。
【００９８】
空気処理部材は、任意の適切な空気処理部材であってよく、例えば、一以上のサイクロン、フィルタ、バッグである。少なくとも一つの空気処理部材が吸引モータの上流に設けられることが好ましく、空気が吸引モータを通過する前に汚染空気を清浄化するためのものである。図示した実施形態において、ハンドクリーナ１１２は、サイクロンチャンバと集塵領域とを備えるサイクロン容器アセンブリ１３６を備える。幾つかの実施形態において、集塵領域は、サイクロンチャンバの一部（例えば下部）であってよい。別の実施形態において、集塵領域は、サイクロンチャンバの塵出口によってサイクロンチャンバから分離された集塵チャンバであってもよい。
複数の集塵チャンバ
【００９９】
本開示の一態様によれば、スティック表面クリーニング装置は、一以上の集塵チャンバを備える。但し、この態様は単独で使用してもよく、本開示の他の一以上の態様と組み合わせてもよい。例えば、ハンドクリーナが第一の集塵チャンバを備え、直立部が第二の集塵チャンバを備えてもよい。第二の集塵チャンバにより、ハンドクリーナだけによる集塵能力と比較すると、表面クリーニング装置の集塵能力が拡大する。従って、表面クリーニング装置は、一以上の集塵チャンバを空にすることが必要となるまでにより長い期間動作可能となる。
【０１００】
本態様によれば、図４に例示するように、直立部１０８は、補助集塵チャンバ１４１を備える又は補助集塵チャンバからなる補助集塵アセンブリ１４０を有してもよい。例えば、補助集塵チャンバ１４０は、補助集塵アセンブリ内の唯一の部品であってよく、従って、補助集塵チャンバ１４０が補助集塵アセンブリであってもよい。或いは、別の実施形態に開示するように、補助集塵アセンブリは、一以上の予備モータフィルタと、一以上の関連する集塵チャンバを有する一以上のサイクロンチャンバと、吸引モータとを更に備えてもよい。
【０１０１】
図示するように、上昇流ダクト１４４（例えば図２１及び２９ａに例示するような床上清掃モードにおいて、使用時に取り外し可能であれば、柄と呼ぶ場合もある）が、表面クリーニングヘッド１０４とハンドクリーナ１１２との間の空気流路を形成してもよい。補助集塵チャンバ１４０は、上昇流ダクト１４４に選択的に取り付ける補足集塵チャンバであってよく、直立部１０８に取り付けると表面クリーニング装置１００の集塵能力が増大する。
【０１０２】
なお、上昇流ダクト１４４が、補助集塵アセンブリ１４０を取り外した際にハンドクリーナ１１２を支持する部材である場合には、このような上昇流ダクトは、荷重を支持するよう設計し、剛性のチューブとしてもよい。更に、上昇流ダクトが取り外し可能であって床上清掃用の柄として機能する場合には、このような上昇流ダクトも剛性のチューブとしてもよい。他の実施形態において、例えば上昇流ダクトが荷重支持部材ではない場合、上昇流ダクト１４４の全部または一部を柔軟なものとしてもよく、例えば柔軟なホースとしてもよい。
【０１０３】
図１及び図９に例示するように、直立部１０８の集塵アセンブリ１４０が、ハンドクリーナ１１２によって汚染空気流から分離された塵の少なくとも一部を回収してもよい。従って、直立部１０８の集塵アセンブリ１４０は、ハンドクリーナ１１２が直立部１０８に取り付けられている全て又は一部の間、ハンドクリーナ１１２の集塵チャンバと連通してもよい。例えば、ハンドクリーナ１１２の集塵チャンバは、ハンドクリーナ１１２が直立部１０８に取り付けられた際に自動的に開く扉を有してもよい。従って、ハンドクリーナ１１２によって分離された塵は、補足集塵アセンブリ１４０へと移動する。或いは、この扉はユーザによって手動で開けられるものでもよい。従って、ユーザが扉を開くことを選択した場合に、塵が補助集塵アセンブリ１４０に移動する。或いは、補助集塵アセンブリ１４０が補助空気処理部材から塵を受け取ってもよく、この場合、補助集塵アセンブリは、補助空気処理部材と補助集塵チャンバとの両方を有する筐体（ｈｏｕｓｉｎｇ）を備えてもよい。
【０１０４】
補助集塵アセンブリ１４０の集塵チャンバとハンドクリーナの集塵チャンバ１８８とは、任意の適切な容量サイズであってよい。補助集塵アセンブリ１４０の集塵チャンバの容量収容能力が、ハンドクリーナの集塵チャンバ１８８の容量収容能力と少なくとも同じであることが好ましく、ハンドクリーナの集塵チャンバ１８８の容量収容能力より大きいことが更に好ましい。例えば、補助集塵アセンブリ１４０の集塵チャンバの容量収容能力は、ハンドクリーナの集塵チャンバ１８８の容量収容能力の１〜２０倍としてもよく、１．５〜１０倍であることが好ましく、３〜５倍であることが最も好ましい。別の実施形態においては、補助集塵アセンブリ１４０の集塵チャンバの容量収容能力が、ハンドクリーナの集塵チャンバ１８８の容量収容能力より小さくてもよい。
【０１０５】
図９に例示するように、ハンドクリーナ１１２は、一以上のサイクロンチャンバ１８４と一以上の集塵チャンバ１８８とを備えるサイクロン容器アセンブリ１３６を備えてもよい。この又はこれらのサイクロンチャンバとこの又はこれらの集塵チャンバとは任意の設計としてよい。例示するように、サイクロンチャンバ１８４は、柄１４４と流体連通する空気入口１９２と、空気入口１９２の下流の空気出口１９６と、集塵チャンバ１８８と流体連通する塵出口２００とを備える。吸引モータ２０４又は任意の吸引源によって、汚染空気を吸込んでもよい。これにより、汚染空気は空気入口１９２に入ってサイクロンチャンバ１８４内を塵出口２００までサイクロン状に移動する。塵はそこで集塵チャンバ１８８内に排出される。その後、空気が空気出口１９６にてサイクロンチャンバ１８４から排気される。
【０１０６】
図９〜図１１に例示するように、サイクロン容器アセンブリ１３６は、横方向に相対する側壁２０８と、上壁２１２と、底壁２１６と、第一端部壁２２０と、第二端部壁２２４とを備えてもよい。図示するように、共通の内部壁２２６によって、サイクロンチャンバ１８４と集塵チャンバ１８８とが分けられてもよい。例えば、サイクロンチャンバ１８４は、上壁２１２と、端部壁２２０と２２４との間に延びる内部壁２２６とによって画成されてもよい。上壁２１２と内部壁２２６とは曲線をなし、サイクロンチャンバ１８４の略円筒形又は円錐台形の側壁が形成される。別の実施形態では、サイクロンチャンバ１８４は、サイクロン状の流れを促進するような任意の他の適切な形状の側壁を有してもよい。幾つかの別の実施形態において、サイクロンチャンバ１８４の内部壁２２６は、集塵チャンバ１８８とサイクロンチャンバ１８４とを分ける共通の壁を形成するのではなく、集塵チャンバ１８８とは別の壁であってもよい。
【０１０７】
集塵チャンバ１８８は、底壁２１６と、側壁２０８と、内壁２２６とによって画成されてもよい。幾つかの実施形態において、底壁２１６は、ハンドクリーナの集塵チャンバ１８８を直立部１０８の補足集塵アセンブリ１４０に流体接続するために開閉可能である。これによって、サイクロンチャンバ１８４によって分離され、塵出口２００から排出された塵を、開放した底壁２１６を介して移動させ、補足集塵アセンブリ１４０にて回収することができる。
【０１０８】
任意に、補助集塵アセンブリを直立部１０８に取り付けると、サイクロンチャンバ内で分離した塵を補助集塵アセンブリの集塵チャンバ内で回収可能である。補助集塵アセンブリは、開閉可能な扉２２８（放出扉とも呼ぶ）等によってハンディ型バキュームクリーナの集塵領域と選択的に連通接続可能である。この扉は、ハンドル等により手動にて開閉可能であってもよく、補助集塵アセンブリが直立部１０８に取り付けられた際等に自動で動作してもよい。この場合、塵はハンドクリーナ１１２内に回収され、扉２２８が開けられるようになって回収された塵を補足集塵アセンブリ１４０に移動させられるようになるまでハンドクリーナ内に留まっている。後者の場合、補助集塵アセンブリを直立部１０８に取り付けると、補足集塵アセンブリ１４０がサイクロンチャンバの塵出口と自動的に連通接続される。この場合、ハンドクリーナ１１２が直立部１０８に取り付けられると、塵は補足集塵アセンブリ１４０内で回収される。
【０１０９】
図示した例において、底壁２１６は扉２２８を備え、この扉は旋回開閉可能な扉２２８であってもよい。図示するように、扉２２８は、ヒンジ２３２によって集塵チャンバ１８８と旋回可能に接続されてもよく、ヒンジ軸２３６の周囲を回転する。扉２２８は、後端２４０から前端２４４へと前方に延びていてもよい。ヒンジ２３２とヒンジ軸２３６とは、扉２２８の後端２４０に位置することが好ましい。別の実施形態において、ヒンジ２３２とヒンジ軸２３６とは、前端２４４又は前端２４０と後端２４４の中間に位置してもよい。
【０１１０】
扉２２８は、集塵チャンバ１８８の外側に旋回することが好ましい。例えば、扉２２８は、扉２２８によって底壁２１６が閉じられる閉位置（図１０）と、扉２２８が集塵チャンバ１８８から離れるように回転して底壁２１６を開放し、ハンドクリーナの集塵チャンバ１８８から補足集塵アセンブリ１４０へと塵が移動可能となるような開位置（図９）との間を移動可能としてもよい。図示するように、開位置において、扉２２８の前端２４４は、ハンドクリーナの集塵チャンバ１８８から離れた位置に移動してもよい。
【０１１１】
ヒンジ軸２３６は、任意の適切な向きを有してもよい。図示した実施形態において、ヒンジ軸２３６は、表面クリーニング装置１００の左右横方向に延びる。ヒンジ軸２３６は、サイクロンチャンバ１８４の一以上のサイクロン軸２４８、吸引モータ２０４のモータ軸２５２、又は空気入口１９２を介した下流方向２５６を横切ってもよい。図示した例において、ヒンジ軸２３６は、サイクロン軸２４８と、モータ軸２５２と、下流方向２５６とに垂直である。別の実施形態において、ヒンジ軸２３６は、一以上のサイクロン軸２４８、モータ軸２５２、又下流方向２５６に略平行であってもよい。
【０１１２】
幾つかの実施形態において、扉２２８は、後端２４０と前端２４４との間で上方且つ前方に延びていてもよい。例えば、後端２４０より前端２４４の方が、サイクロンチャンバ１８４とサイクロン軸２４８とに近くなるよう配置されてもよい。扉２２８を開けると（図９）、サイクロンチャンバ１８４と底壁２１６との間の横方向幅２６４を有する底開口部２６０が得られる。
【０１１３】
任意に、ハンディ型バキュームクリーナの集塵領域（集塵チャンバ）は、補足集塵アセンブリ１４０の上に配置する。従って、ハンディ型バキュームクリーナの集塵チャンバ内で受け取った塵は、重力によって補足集塵アセンブリ１４０に送られてもよい。従って、例えば、塵出口２００をサイクロンチャンバ１８４の底端部２６８上に配置されてもよく、底壁２１６と開口部２６０とに向かって塵を排出し、この塵は重力によって直立部１０８の補足集塵アセンブリ１４０内に運ばれる。
【０１１４】
次に図９、図１０及び図１２を参照する。ハンドクリーナ１１２が直立部１０８に接続されると、開口部２６０は集塵アセンブリ１４０の入口に流体連結されることが好ましい。図示した例において、扉２２８とサイクロン容器アセンブリ１３６の開口部２６０とが、集塵アセンブリ１４０の入口２７２と一直線上にある。図示するように、入口２７２は、集塵アセンブリ１４０の上部２７６内の開口として形成されてもよい。幾つかの実施形態において、入口２７２は、扉２２８と同時に自動で開く扉（図示せず）を備えてもよい。任意に、扉２２８が閉じている即ちハンドクリーナ１１２が直立部１０８から取り外されている際には、入口２７２の扉は、入口２７２を閉じ、集塵アセンブリ１４０を密閉するように（バネ等によって）付勢されてもよい。
【０１１５】
開口部２６０及び集塵アセンブリ１４０の上部２７６の入口２７２は、扉２２８が開位置にある際に、少なくとも扉２２８の一部を受け入れられるような大きさ及び位置とすることが好ましい。これによって、図９に示すように扉２２８を開位置へと外側に開くことができる。
【０１１６】
ハンドクリーナ１１２を直立部１０８に接続すると扉２２８が自動的に閉位置から開位置へと移動可能であるならば、ハンドクリーナ１１２は、ハンドクリーナ１１２を直立部１０８に接続すると扉２２８（例えば、ヒンジ軸２３６を中心に旋回する扉２２８）を開位置へと移動させる扉２２８に駆動可能に接続されたアクチュエータを備えてもよい。図示した実施形態において、扉２２８は、ヒンジ２３２に旋回可能に接続されたアーム２８０を備える。図示するように、アーム２８０は、ヒンジ２３２の後方に延びるレバー部２８４を備えてもよく、レバー部を押さえると扉２２８が開位置へと旋回する。更に、図示した集塵アセンブリ１４０は、アーム２８０のレバー部２８４と並べて配置された係合部材２８８を備える。使用時には、ハンドクリーナ１１２を直立部１０８に接続したならば、係合部材２８８がアーム２８０のレバー部２８４を押し、自動的に扉２２８を開位置へと旋回させてもよい。これによって、開口部２６０は、補足集塵アセンブリ１４０の入口２７２と流体連通していてもよい。一態様において、これによって直立部１０８からハンドクリーナ１１２を取り外して使用したユーザが、ハンドクリーナ１１２を直立部１０８に接続することによって、自動的にハンドクリーナの集塵チャンバ１８８を空にすることができる。その後、空になった集塵チャンバ１８８を備えた直立部１０８からハンドクリーナ１１２を取り外してもよい。
【０１１７】
扉２２８が閉位置から開位置へと手動により移動可能である場合には、図６１ａ〜ｂ及び図６２ａ〜ｂに例示するように、扉２２８に、手動で動作可能なレバー部２８４等のアクチュエータを設けてもよい。レバー部２８４は、ハンドクリーナ１１２が直立部１０８に取り付けられた状態で、レバー部２８４にユーザがアクセス可能であって、ユーザが操作可能であるように、扉２２８から下方向に延びていてもよい。例示するように、レバー部２８４はサイクロン容器アセンブリ１３６の底壁２１６から突出し、レベル部２８４がユーザにとってアクセス可能となっていてもよい。
【０１１８】
図９、図１０、図１２、図６１ａ〜ｂ、図６２ａ〜ｂに例示するように、扉２２８が手動で動作可能であっても自動で動作可能であっても、扉２２８は閉位置に付勢されてもよい。例えば、扉２２８は、ねじりバネ等の付勢部材（図示せず）によって付勢され、閉位置に向かってヒンジ軸２３６を中心に回転してもよい。これによって、直立部１０８からハンドクリーナ１１２を取り外すと扉２２８が自動的に閉じるようになり、集塵チャンバ１８８から塵がこぼれるのを防ぎ、清掃のためにハンドクリーナ１１２をすぐに使用可能となる。別の実施形態において、扉２２８は、閉位置に付勢されなくてもよい。例えば、ハンドクリーナ１１２を直立部１０８から取り外した際、扉２２８は開位置のままであってもよい。このような場合、扉２２８は、手動により閉じるまで開いたままである。例えば、図６２ａ〜ｂを参照すると、アーム２８０のレバー部２８４をユーザが動かして扉２２８を閉位置に移動させるまで、扉２２８は開位置のままであってもよい。
取り外し可能な補足集塵アセンブリ
【０１１９】
本開示の一態様によれば、表面クリーニング装置は、２つ以上の集塵チャンバを備え、そのうちの一つの集塵チャンバは任意に取り外し可能であって、取り外し可能な集塵チャンバを取り外した状態で表面クリーニング装置は動作可能である。但し、この態様は単独で使用してもよく、本開示の他の一以上の態様と組み合わせてもよい。従って、前述の実施形態で述べたように、補足集塵チャンバは、スティックバキュームクリーナの上昇流ダクト即ち柄の上に設けてもよく、主たる集塵チャンバであってもよい（例えば、補足集塵チャンバを配置してスティックバキュームクリーナを動作する場合には、分離した塵の大半又は全てを回収してもよい）。これを大集塵能力直立モード又は第二直立モード動作と呼ぶ。
【０１２０】
補足集塵チャンバは、空にするために取り外し可能であって、クリーナを軽量直立モード又は第一直立モード動作に再構成することが可能であってもよい。取り外すと、バキュームクリーナは、別の集塵チャンバ（例えばハンドクリーナ集塵チャンバ）で塵を分離し分離した塵を回収するよう動作可能であってもよい。軽量直立モードの長所は、補足集塵チャンバを取り外すことで、バキュームクリーナの大きさや重量を減らすことができることである。バキュームクリーナで家具の周りや下を清掃する場合や、バキュームクリーナを持って階段を上がる場合に、このモードが役に立つ。
【０１２１】
図１及び図４に例示するように、直立部１０８の集塵アセンブリ１４０は、柄１４４とハンドクリーナ１１２とに取り外し可能に接続されてもよい。これによって、集塵アセンブリ１４０を空にするために又は装置１００を軽量直立モードで動作させるために取り外すことができる。なお、別の実施形態において、直立モード１０８の柄１４４及び集塵アセンブリ１４０は、一体アセンブリとして一体的に形成され又は恒久的に接続可能である。
【０１２２】
集塵アセンブリ１４０は、任意の適切な方法で柄１４４に取り外し可能に接続されてもよい。図示した実施形態において、集塵アセンブリ１４０の下端２９２は、柄１４４の下端２９６上にその先を斜めに向け、そして集塵アセンブリ１４０は、柄１４４に向かって下端２９２を中心に旋回及び適切な解放可能な締結機構によって位置を保持されてもよい。
【０１２３】
図示した実施形態において、ハンドクリーナ１１２は、補足集塵アセンブリ１４０を柄１４４から外して装置１００から完全に取り外した状態で、柄１４４及び表面クリーニングヘッド１０４との流体連通を保つようにしてもよい。これによって、装置１００の動作に支障なく、集塵アセンブリ１４０を取り外すことができる（例えば、空にするため又は装置１００を軽量直立モードで動作させるため）。
上流空気処理部材
【０１２４】
本開示の別の態様によれば、上流空気処理部材が提供される。但し、この態様は単独で使用してもよく、本開示の他の一以上の態様と組み合わせてもよい。上流空気処理部材は、ハンドクリーナの上流に取り外し可能に接続可能であってもよい。例えば、補足集塵アセンブリは、一以上の関連するサイクロンチャンバを有してもよい。従って、補足集塵アセンブリが直立部１０８（例えば、上昇流ダクト１４４）の上に配置されると、補足サイクロンチャンバ１６０は、ハンドクリーナのサイクロンチャンバと直列又は並列に接続されてもよい。従って、直立型のクリーナとして動作させる場合、表面クリーニング装置は、二重サイクロン式段階の表面クリーニング装置であってもよい。床上清掃モードで使用する場合、ハンドクリーナは単一サイクロン式段階の表面クリーニング装置であってもよい。代表的には、表面クリーニング装置は、床を清掃するためには直立バキュームクリーナとして（即ち、補足サイクロンを取り付けて）使用されてもよい。これによって清掃対象の領域の大半が表される。従って、表面クリーニング装置の使用の大半に関して、装置は二重サイクロン式段階の表面クリーニング装置として使用されてもよい。
【０１２５】
この態様によれば、直立部は、少なくとも大きな塵の粒子を空気流から分離する第一空気処理部材を備えてもよく、ハンドクリーナの空気処理部材は、第一空気処理部材の下流に位置し、空気流から小さい塵の粒子（微粒子）を分離してもよい。この場合、分離された塵の最大の容積は直立部の集塵チャンバ内で回収されてもよく、より少ない容積の微粒子がハンドクリーナの集塵チャンバ内で回収されてもよい。これによって、ハンドクリーナの集塵チャンバが充填される率が減少し、ハンドクリーナの集塵チャンバを空にしなくてはならない頻度が減る。なお、各サイクロン式段階は任意の設計であってよく、任意の種類の塵を除くよう設計してよい。
【０１２６】
なお、幾つかの実施形態において、ハンドクリーナによって分離された塵は、補足集塵アセンブリ内で回収されてもよい。この場合、ハンドクリーナの集塵領域は、補足集塵アセンブリの集塵領域と（自動的又は選択的に手動により）連通してもよいが、同領域は、補足サイクロンチャンバアセンブリのサイクロン式段階の集塵チャンバとは隔離されてもよい。
【０１２７】
なお、空気が上昇流ダクト１４４を通ってハンドクリーナ１１２へと移動する場合は、サイクロン容器アセンブリ１６０を柄１４４に接続すると、柄１４４を通過した空気は、サイクロン容器アセンブリ１６０内へと流れを切り替えられ、切り替え箇所の下流のサイクロン容器アセンブリ１６０から柄１４４に戻されてもよい。任意に、図８及び図１４の実施形態で例示する後に詳細に説明する別の態様によれば、幾つかの実施形態において、補足サイクロン容器アセンブリ１６０を直立部１０８へと取り付けると自動的に切り替えが起こってもよい。例えば、サイクロン容器アセンブリ１６０は、柄１４４の上流端３６４と下流端３６０との間の柄１４４の導管内に配置可能な切り替え部材４２８を備えてもよい。図示するように、切り替え部材４２８は、柄１４４を上流柄部分４４０と下流柄部分４４４とに分けてもよい。切り替え部材４２８は、柄１４４内部に気密シールを形成し、上流柄部分４４０を通過する空気の略全ての向きをサイクロン容器アセンブリ１６０の空気入口３１６へと変えてもよい。次に、サイクロン容器アセンブリ１６０の空気出口３２０は、下流柄部分４４４内に排出し、ハンドクリーナ１１２の下流へと流してもよい。
【０１２８】
図５、図６及び図１３の実施形態で例示するように、補足サイクロン容器アセンブリ１６０、１６０は、任意の適切なサイクロン容器アセンブリであって、サイクロンチャンバ３０８と集塵チャンバ１４１とを備えてもよい。サイクロンチャンバ３０８は、表面クリーニングヘッドからの汚染空気を柄１４４等を介して受け入れる空気入口３１６と、ハンドクリーナ１１２等への排出のための空気出口３２０と、分離した塵を集塵チャンバ１４１へと排出する塵出口３２４と、渦ファインダ（ｖｏｒｔｅｘ  ｆｉｎｄｅｒ）４００と、サイクロン軸３９２とを備えてもよい。柄１４４は、表面クリーニングヘッド１０４に接続された上流端３６０と、サイクロンチャンバ３０８の空気入口３１６に接続された下流端３６４とを備えてもよい。
【０１２９】
サイクロン容器アセンブリ１６０から、空気流がハンドクリーナ１１２へと下流に流れてもよい。従って、ハンドクリーナのサイクロン容器アセンブリ１３６は、補足サイクロン容器アセンブリ１６０の下流であって直列に配置する。空気はハンドクリーナのサイクロン容器アセンブリ１３６に受け入れられ、そこで更なる粒子状物質が更に空気流から分離されて集塵チャンバ１８８内へと堆積される。多くの場合、サイクロン容器アセンブリ１３６で分離される更なる粒子状物質は、装置１００から分離される塵の総容積の３０％より少ない部分を構成してもよく、分離される微粒子の全て又は大半を構成してもよい。従って、集塵チャンバ１８８の容積充填率は、補足集塵チャンバ１４１の容積充填率より低い。これによって、ハンドクリーナ１１２の集塵能力が維持される。
【０１３０】
動作時には、サイクロン容器アセンブリ１６０の空気出口３２０から出ていく空気は、サイクロン容器アセンブリ１３６による第二の清掃段階であるハンドクリーナ１１２に入ってもよい。図示するように、ハンドクリーナ１１２は、上流端４１６と下流端４２０とを有するノズル４１２を備えてもよい。ハンドクリーナ１１２を直立部１０８に接続すると、上流端４１６は、直立部１０８の空気出口３２０と流体接続され、下流端４２０は、ハンドクリーナのサイクロンチャンバ１８４の入口１９２と流体接続されてもよい。
【０１３１】
動作時には、汚染空気入口１２４に空気が吸込まれ、上流柄部分４４０に入ってもよい。切り替え部材４２８は、上流柄部分４４０を通過する空気の向きを変え、サイクロンチャンバ３０８の空気入口３１６へと入ってもよい。空気は、側壁３７６の接線方向に空気入口３１６を介して移動し、下端壁３６８に向かって下方にらせん状に移動してもよい。これによって、空気から塵が分離され、塵は塵出口３２４を通過して集塵チャンバ１４１内に堆積する。その後、空気流は渦ファインダ４００へと下方に移動し、渦ファインダ４００の下流端４０４の空気出口３２０においてサイクロンチャンバ３０８から出口流路４７６へと出ていく。出口流路４７６は、下流柄部分４４４に流体接続された下流端を有してもよい。空気は、柄の下流端３６４へと下流柄部分４４４を移動してハンドクリーナ１１２内に入ってもよい。ハンドクリーナ１１２では、サイクロン容器アセンブリ１３６によって更なる塵が空気から分離されてもよく、その後清浄空気出口１３２から空気が排出される。
【０１３２】
なお、この態様によれば、サイクロン容器アセンブリ１６０は、任意の適切なサイクロン容器アセンブリであってよい。図５、図６、及び図１３に示す例において、サイクロンチャンバ３０８は、下端壁３６８と、上端壁３７２と、下端壁３６８と上端壁３７２との間に延びる側壁３７６とを備える。側壁３７６は、従来のサイクロンチャンバの設計に応じた略円筒形又は円錐台形状であることが好ましい。
【０１３３】
塵出口３２４は、側壁３７６内の開口として形成され、分離された塵を集塵チャンバ１４１内へと向かわせてもよい。幾つかの実施形態において、サイクロンチャンバ３０８の側壁３７６の少なくとも一部は、サイクロンチャンバ３０８と集塵チャンバ１４１との共通分離壁を形成してもよい。この場合、塵出口３２４は、側壁３７６の共通部の開口として形成されてもよい。
【０１３４】
塵出口３２４は、側壁３７６上の任意の適切な箇所に形成されてもよい。図示した例において、塵出口３２４は、上端壁３７２に近接したサイクロンチャンバ３０８の上端に位置する。特に、図示した実施形態は、上端壁３７２と境界を接する側壁３７６のスロット３８０によって形成した塵出口３２４を備える。これによって集塵チャンバ１４１の容量を大きくできる。具体的には、塵は、重力によって集塵チャンバ１４１の底部から上方に堆積してもよい。従って、集塵チャンバ１４１の容量は、塵出口３２４の位置によって少なくとも部分的に規定されてもよい。集塵チャンバ１４１の塵のレベルが塵出口３２４にまで上がってくると、集塵チャンバ１４１は一杯になる。従って、集塵チャンバ１４１の容量は、塵出口３２４より下の集塵チャンバ１４１の容量である。このように、集塵チャンバ１４１の容量は、塵出口３２４を最上部、例えば、図示するようにサイクロンチャンバ３０８の上端壁３７２に近接するように配置することで大きくすることができる。
【０１３５】
或いは、図１４に例示するような幾つかの実施形態において、下端壁３６８は、サイクロンチャンバ３０８を集塵チャンバ１４１から分離するような拘束プレート（ａｒｒｅｓｔｅｒ  ｐｌａｔｅ）１２８０を備える又は拘束プレートであってもよい。この場合、塵出口３２４は、拘束プレート１２８０と側壁３７６との間の空隙によって形成されてもよく、塵粒子が重力によって集塵チャンバ１４１に落下してもよい。
【０１３６】
後により詳細に説明する別の態様によれば、例示するように、サイクロンチャンバ３０８は、軸方向の流入空気を接線方向に流れるようにその向きを変えてサイクロンチャンバ３０８内でのサイクロン式動作を促進するような入口流路３８４を備えてもよい。入口流路３８４の上流端３８８は、軸方向に面してもよく（即ち、サイクロン軸３９２に略平行）、入口流路３８４の下流端（図示せず）は、サイクロンチャンバ３０８の接線方向に面してもよい。入口流路３８４の上流端３８８に空気入口３１６から入る空気は、入口流路３８４に沿って移動し、接線方向に下流端（図示せず）を出ていってもよい。サイクロンチャンバ３０８の渦ファインダ４００の周りを上方にらせん運動した後、空気流は渦ファインダ４００に入り、渦ファインダ４００の下流端４０４の空気出口３２０を介してサイクロンチャンバ３０８から出ていってもよい。
【０１３７】
ハンドクリーナのサイクロンチャンバ１８４は、任意の適切なサイクロンチャンバであってよい。幾つかの実施形態において、サイクロンチャンバ１８４は、サイクロンチャンバ３０８と略同じである。例えば、サイクロンチャンバ１８４は、空気入口１９２と、入口流路４２０と、塵出口２００と、渦ファインダ４２４と、塵出口２００と、空気出口１９６と、サイクロン軸２４８とを備えてもよい。直立部１０８からの空気は、空気入口１９２に軸方向に入り、入口流路４２０によって接線方向に向きを変えた後、渦ファインダ４２４の周りを上方にらせん運動し、塵を塵出口２００内に堆積させ、その後、渦ファインダ４２４の下流端の空気出口１９６を介してサイクロンチャンバ１８４から出ていってもよい。
動作モード
【０１３８】
本開示の別の態様によれば、表面クリーニング装置は、複数の異なる動作モードで動作するよう再構成可能である。但し、この態様は単独で使用してもよく、本開示の他の一以上の態様と組み合わせてもよい。例えば、表面クリーニング装置は、ハンドクリーナモード、段差清掃モード、床上清掃モード、大集塵能力直立モード、軽量直立モード、又は二重モータ直立モードの２つ以上のモードで動作可能である。場合によっては、表面クリーニング装置は、一度の接続又は取り外し動作によって異なる動作モード間を再構成可能である。これによって、最小限の中断により、表面クリーニング装置を素早く再構成可能となる。
【０１３９】
図１、図５及び図７を参照すると、表面クリーニング装置１００、１５２及び１６８は、大集塵能力直立清掃モードである。大集塵能力直立清掃モードにおいて、表面クリーニング装置１００、１５２及び１６８は、表面クリーニングヘッド１０４と、柄１４４と補足集塵チャンバと１４０を備える直立部１０８と、ハンドクリーナ１１２とを備えてもよい。空気流路は、表面クリーニングヘッド１０４の汚染空気入口１２４から下流の柄１４４を介し、その後ハンドクリーナ１１２のサイクロン容器アセンブリ１３６に延び、空気流から塵を分離してその塵を直立部１０８の集塵チャンバ１４１内及び／又はハンドクリーナの集塵チャンバ１８８内に堆積する。装置１５２及び１６８において、サイクロン容器アセンブリ１６０が更に空気流路内に配置され、空気流から塵を分離して回収する。後に説明するように、ハンドクリーナ１１２のサイクロン容器アセンブリ１３６は、任意にバイパスしてもよい。
【０１４０】
図６及び図６ａに例示するように、一以上の表面クリーニングヘッド１０４、直立部１０８、ハンドクリーナ１１２は、互いに取り外し可能に接続され、装置１５２を幾つかの異なる動作モードとするよう幾つかの異なる組み合わせで組み立て可能であってもよい。幾つかの実施形態において、直立部１０８の柄１４４と補足アセンブリ１４０、１６０とは、互いに取り外し可能に接続され、更なる動作モードを提供してもよい。例えば、大集塵能力直立清掃モードでは、表面クリーニングヘッド１０４は、柄１４４の上流端３６０に接続され、柄１４４の下流端３６４はサイクロン容器アセンブリ１６０の空気入口３１６に接続され、サイクロン容器アセンブリ１６０の空気出口３２０はハンドクリーナのノズル４１２の上流端４１６に接続されてもよい。
【０１４１】
図示するように、大集塵能力直立清掃モードは、大きな表面積の清掃に特に効果的であってもよい（例えば、一以上の部屋の床）。ユーザは、ハンドクリーナのハンドル４８４を握って、清掃すべき表面全体に表面クリーニングヘッド１０４を操縦してもよい（即ち、ハンドル４８４は、表面クリーニング装置の駆動ハンドルであってもよい）。一部分において表面クリーニングヘッド１０４とハンドクリーナ１１２との間に柄１４４を介入させることによる装置１００、１５２及び１６８の高さ４９２が高くなり、ユーザが直立して立った状態で装置１００を操作可能となる。直立部１０８の集塵チャンバ１４１の大集塵能力によって、集塵チャンバ１４１が一杯になって空にする必要が出てくるまでに装置１００をより長く使用することができる。
【０１４２】
図４、図５、図６、図６ａ、図８及び図１５〜図１８、及び図２２〜図２９に例示するように、集塵アセンブリ１４０又はサイクロン容器アセンブリ１６０を直立部１０８から選択的に取り外して、大集塵能力直立モードから軽量直立モードへと装置１００、１５２又は１６８を再構成してもよい。同様に、集塵アセンブリ１４０又はサイクロン容器アセンブリ１６０を直立部１０８に選択的に再接続して、軽量直立モードから大集塵能力直立モードへと装置１００、１５２又は１６８を再構成してもよい。
【０１４３】
大集塵能力直立モードから軽量直立モードへの装置の再構成に必要な動作は、一回のユーザの動作のみであることが好ましい（例えば、集塵アセンブリ１４０又はサイクロン容器アセンブリ１６０を直立部１０８から取り外すと、放出扉が開いているならば自動的にハンドクリーナの放出扉が閉じ、バキュームクリーナが補足サイクロン容器アセンブリ１６０を備えるならば切り替え部材を自動的に閉じるようにしてもよい）。
【０１４４】
例示するように、装置１００において、大集塵能力直立モードで集塵チャンバ１８８及び１４１を接続するために扉２２８が開いているが、この扉は、集塵チャンバ１４１を外すと自動的に（即ち、ユーザの相互作用なく）閉じ、集塵チャンバ１４１の底壁２１６を密閉してもよい。例示的な機構は、バネや機械的又は電気的駆動部材であって扉に駆動可能に接続された部材等の付勢部材であって、補足アセンブリ１４０、１６０が取り外されると扉を閉じる。
【０１４５】
例示されるように、装置１６８において、柄１４４からサイクロン容器アセンブリ１６０を外すと、空気流路が自動的に切り替えられて、サイクロン容器アセンブリ１６０の中間的な切り替えがなく、柄の上流端３６０から下流端３６４へと直接延びるようにしてもよい。従って、表面クリーニングヘッド１０４とハンドクリーナ１１２との間の空気流路は、サイクロン容器アセンブリ１６０を外すと自動的に再構成されて、装置１６８が軽量直立モードに再構成される。従って、装置１６８は、再構成しながらも継続的に動作させてもよい。
【０１４６】
別の実施形態において、集塵アセンブリ１４０を直立部１０８から外す前、外している間、又はその後の更なる工程として、装置１００の扉２２８を手動で閉じ、軽量直立モードへの再構成を完了してもよい。例えば、ユーザは手動で扉を閉じてもよい。他の実施形態において、以下により詳細に説明するように、サイクロン容器アセンブリ１６０を柄１４４から外した後の更なる工程として、装置１６８の切り替え弁を手動で閉じさせ、軽量直立モードへの再構成を完了してもよい。或いは、単一のアクチュエータを手動で操作して扉及び切り替え弁を閉じてもよい。
【０１４７】
図４に例示するように、装置１５２は、アセンブリ１４０、１６０を柄１４４から外すことで大集塵能力直立モードから軽量直立モードへと再構成可能としてもよい。場合によって、装置を軽量直立モードへと瞬時に再構成して作業（例えば、家具の下を清掃する）を完了し、その後装置を大集塵能力直立モードへと再構成することが望ましい場合がある。図示した例において、表面クリーニングヘッド１０４とハンドクリーナ１１２との間の空気流路は、大集塵能力直立モードから軽量直立モードへと装置１００を再構成する間又はその後も存続する。これによって、大集塵能力直立モードから軽量直立モードへと再構成する前、その間又はその後も、装置１００を継続して操作可能である（すなわち、入口１２４と出口１３２との間を空気が移動し続けられる）。同様に、これによって中断をほとんどすることなく又は全くすることなく、迅速な再構成が可能となる。なお、サイクロンが補足アセンブリ（例えばアセンブリ１６０）に設けられている場合、移行期間に切り替え弁が閉じられていない短期間があるかもしれない。
【０１４８】
場合によって、大集塵能力直立モードから軽量直立モードへの装置１００、１５２、又は１６８の再構成によって軽量化（即ち、集塵アセンブリ１４０又はサイクロン容器アセンブリ１６０を取り除くことで）され、より細身の外観が得られる。従って、軽量直立モードでは装置１００、１５２、又は１６８を持ち上げる（例えば上階へ運ぶ）ことが容易となり、家具等の下及びその周辺を操作することが容易となる。但し、このモードにおいて、軽量直立モードでのサイクロン容器アセンブリ１３６によって分離された塵の全てが集塵チャンバ１８８内に回収される。従って、大集塵能力直立モードと比較すると、軽量直立モードでの装置１００、１５２、又は１６８の集塵能力は小さくなる場合がある。
【０１４９】
図１９〜２１、図２９ａ、図２９ｂを参照すると、床上清掃モードの装置１００及び１６８が示される。図示するように、床上清掃モードでの装置１００及び１６８は、ハンドクリーナ１１２と柄１４４とを備える。装置１００、１５２及び１６８は、表面クリーニングヘッド１０４を柄１４４から外すことで軽量直立モードから床上清掃モードへと再構成可能としてもよい。なお、所望であれば、床上清掃モードにおいてアセンブリ１４０、１６０を保持してもよい。但し、これによって床上清掃モードでの装置に余分な重量が加わることになる。
【０１５０】
ユーザの一度の動作、即ち、柄１４４の上流端４９６から表面クリーニングヘッド１０４を取り外すことによって軽量直立モードから床上清掃モードへと装置１００、１５２、又は１６８の再構成が可能であることが好ましい。これによって、中断をほとんどすることなく又は全くすることなく、装置を迅速に再構成可能となる。例えば、軽量直立モードから床上清掃モードへと再構成する前、その間、及びその後も装置を継続して操作可能である。これによって、ユーザは、装置を床上清掃モードへと便利に再構成して軽量直立モードでは届かない表面を清掃することができ、その後、軽量直立モードへと装置を再構成して床等の清掃を継続することができる。
【０１５１】
図１０を参照すると、装置１００、１５２、及び１６８は、ハンドクリーナ１１２（柄１４４等から）取り外すことで任意の他のモードからハンドクリーナモードへと再構成可能としてもよい。図示するように、ハンドクリーナモードは、ハンドクリーナ１１２のみを含む。ハンドクリーナモードでは、ノズル４１２の上流端４１６が汚染空気の入り口としてもよい。任意に、ブラシ、隙間ノズル、補助柄１４５等の一以上の付属部品（図示せず）をノズル４１２に接続してもよい。柄１４４が集塵アセンブリ１４０の一部であるならば、付属の柄１４５を設けてノズル４１２と接続可能としてもよい。
【０１５２】
装置１００のハンドクリーナモードは、他の操作モードと比べるとより軽量、小型で機動力がある場合がある。但し、ハンドクリーナモードは、例えば大集塵能力直立モード（図１、図５及び図７）と比べると集塵能力が小さい場合がある。
【０１５３】
場合によって、ユーザは瞬時にハンドクリーナ１１２を外してハンドクリーナモードで使用し（例えば、ハンドクリーナモードの方がより届きやすい表面を清掃する場合）、その後以前のモードに装置を戻したいと思う場合がある。例えば、装置１００、１５２、又は１６８は、大集塵能力直立モード（図１、図５及び図７）から又は軽量直立モード（図１５及び図２２）から、単にハンドクリーナを取り外すだけで瞬時に再構成し、その後再び直立モードに再構成することができる。
【０１５４】
ハンドクリーナ１１２を直立部１０８から取り外すとハンドクリーナモードでの使用で利用可能な容量があるので、ハンドクリーナ１１２の集塵チャンバ１８８にとって都合がよい場合がある。更に、ハンドクリーナ１１２を直立部１０８に再接続した後も容量を再利用できるので、ハンドクリーナ１１２の集塵チャンバ１８８にとって都合がよい場合がある。これは、手動によりハンドクリーナを取り外す前に又はハンドクリーナを取り外した際に、ハンドクリーナ１１２をアセンブリ１４０、１６０に取り付けたままで継続的に集塵チャンバ１８８をアセンブリ内へと流入させることで達成され得る。ハンドクリーナ１１２をアセンブリ１４０、１６０に再配置したなら（再配置したら手動又は自動のいずれかにより）、集塵チャンバ１８８をアセンブリに流入させることにより、集塵容量が再利用可能である。
【０１５５】
このような再構成の例について図９の実施形態に関して説明する。図示した例において、ハンドクリーナが取り付けられてハンドクリーナの集塵チャンバ１８８からの塵が集塵チャンバ１４１に移動してくる（例えば重力によって）状態において、ハンドクリーナの集塵チャンバ１８８の底壁２１６は集塵アセンブリ１４０に対して開放したままとなっており、これによって、装置をいずれかの直立動作モードで使用している際に集塵チャンバ１８８が一杯になることが防げる。
【０１５６】
装置１００は、ハンドクリーナ１１２を直立部１０８に再接続することで、ハンドクリーナモードから大集塵能力直立モードへと再構成可能としてもよい。直立部１０８にハンドクリーナ１１２を再接続すると、集塵チャンバ１４１に対してハンドクリーナの集塵チャンバ１８８が自動的に開いて、ハンドクリーナモードで回収した少なくとも一部の塵を集塵チャンバ１４１に移動させる。これによって集塵チャンバ１８８を空にし、ハンドクリーナを再びハンドクリーナモードで使用する際に集塵チャンバ１８８が一杯になっていないようにする。
【０１５７】
幾つかの実施形態において、ハンドクリーナの集塵チャンバ１８８は、手動であれ自動であれアセンブリ１４０、１６０に取り付けた際に、アセンブリに流入しない。例えば、図１３及び図１４に、装置１５２及び１６８の実施形態の例を示すが、アセンブリ１６０及び１８８は、常に塵を別々に受け入れて収容する。図示するように、直立集塵チャンバ１４１は補助サイクロン容器アセンブリ１６０によって分離された塵を受け入れて回収し、ハンドクリーナの集塵チャンバ１８８はハンドクリーナのサイクロン容器アセンブリ１３６によって分離された塵を別に受け入れて回収してもよい。
複数のサイクロンを備えた直立部
【０１５８】
本開示の別の態様によれば、補足サイクロン容器アセンブリ１６０は、空気流路に直列及び／又は並列に配置された複数のサイクロンを有する。但し、この態様は単独で使用してもよく、本開示の他の一以上の態様と組み合わせてもよい。これらのサイクロンは、直立部の同じ側（例えば、前又は後側、左又は右側）、又は直立部の別々の側（例えば、前側に一つで後側に一つ、又は右側に一つで左側に一つ）に配置してよい。一実施形態において、直立部は、２つのサイクロンを使用し、この２つのサイクロンの間に柄を配置してもよい。
切り替え弁
【０１５９】
本開示の別の態様によれば、切り替え弁が設けられ、直立部１０８（例えば柄１４４）を移動する空気を補助アセンブリ１６０（例えば、補足サイクロン又は複数のサイクロン３０８）内へと切り替える。但し、この態様は単独で使用してもよく、本開示の他の一以上の態様と組み合わせてもよい。切り替え弁は、補助アセンブリ１６０が表面クリーニング装置から取り外されたら及び／又は表面クリーニング装置に接続されたら自動的に動作することが好ましい。
【０１６０】
図８に例示するように、サイクロン容器アセンブリ１６０は、直立部１０８に選択的に接続されてもよく、これによって空気流路が再構成されてサイクロン容器アセンブリ１６０内に延びてもよい。同様に、サイクロン容器アセンブリ１６０は、直立部１０８から選択的に取り外され、これによって空気流路が再構成されて切り替えなしに端から端まで柄１４４内に延びてもよい。空気流路は、サイクロン容器アセンブリ１６０を直立部１０８に接続する及び／又は取り外すと自動的に再構成されることが好ましい。
【０１６１】
幾つかの実施形態において、柄１４４は、柄１４４の上流端３６０と下流端３６４との間に配置された切り替え出口７０４と切り替え入口７０８とを備えてもよい。サイクロン容器アセンブリ１６０を直立部１０８に接続して、空気流路が切り替え出口７０４でサイクロン容器アセンブリ１６０内へと切り替わり、切り替え入口７０８でサイクロン容器アセンブリ１６０から柄１４４に戻るよう再構成した際に、切り替え出口７０４と切り替え入口７０８とが選択的に開放されてもよい。直立部１０８は、切り替え出口７０４と入口７０８とを開閉するための切り替え弁を備えてもよい。
【０１６２】
第一実施形態による切り替え弁７１２を図３３〜図３８に例示する。例示するように、切り替え弁７１２は、柄１４４の内部に配置したスリーブ７１６と、開位置と閉位置との間でスリーブ７１６を移動させるペダル７２０とを備えてもよい。
【０１６３】
スリーブ７１６は、切り替え弁７１２が閉位置にある際の（図３３及び図３６を参照）上流柄部分４４０と下流柄部分４４４とを流体連結するための導管であって、切り替え出口７０４と切り替え入口７０８とをバイパスしてもよい。スリーブ７１６は、固い導管であることが好ましい。或いは、スリーブ７１６は、柔らかい及び／又は折りたためる（ｃｏｌｌａｐｓｉｂｌｅ）部品を備えてもよい。効果的には、スリーブ７１６が、切り替え弁７１２が閉位置にある際の切り替え出口７０４と切り替え入口７０８とを閉じるようにしてもよい。任意に、切り替え弁７１２は、スリーブ７１６と上流柄部分４４０との間及びスリーブ７１６と下流柄部分４４４との間に気密シールを形成する一以上のシール部材（例えば、Ｏリング）を備えてもよく、これにより切り替え弁７１２が閉位置にある際の切り替え出口７０４と切り替え入口７０８から空気が逃げないようにするこことができる。
【０１６４】
スリーブ７１６は、閉位置（図３３及び図３６）と開位置（図３５及び図３８）との間で柄１１４に沿って軸方向に移動可能としてもよい。スリーブ７１６は、サイクロン容器アセンブリ１６０を直立部１０８に取り付ける（例えば、柄１４４に接続する）ことによって自動的に開位置へ移動及び／又はサイクロン容器アセンブリ１６０を直立部１０８から取り外す（例えば、柄１４４から分離する）ことによって自動的に閉位置へ移動することが好ましい。図示した実施形態において、スリーブ７１６は、ペダル７２０に駆動可能に連結される。ペダル７２０を押して、図３３及び図３６の閉位置からと図３５及び図３８の開位置へとスリーブ７１６が移動するようにしてもよい。図示するように、ペダル７２０は、スリーブ７１６の下に軸方向に配置され、柄１４４の外側に向かって延び、サイクロン容器アセンブリ１６０を直立部１０８に取り付けるとサイクロン容器アセンブリ１６０によって押されてもよい。ペダル７２０とスリーブ７１６とは一体的に成形されるか、別々に形成されて接続され、一体として上下に軸方向に移動するようにしもよい。
【０１６５】
例示するように、ペダル７２０とスリーブ７１６とは、開位置と閉位置との間の軸方向の移動のために柄１４４に移動可能に取り付けられてもよい。図示するように、ペダル７２０とスリーブ７１６とは、閉位置（図３３及び図３６）から開位置（図３５及び図３８）へと下方向に移動する。閉位置において、スリーブ７１６は、上流柄部分４４０と下流柄部分４４４との間の敷居（ｔｈｒｅｓｈｏｌｄ）を超えて直接空気流路を広げてもよい。開位置において、スリーブ７１６は、上流柄部分４４０内に後退し、切り替え出口７０４と切り替え入口７０８とを開放することにより、切り替え出口７０４、サイクロン容器アセンブリ１６０、及び切り替え入口７０８を介して空気流路が切り替わるようにしてもよい。図示するように、切り替え出口７０４は、上流柄部分４４０の下流端７２４に位置し、切り替え入口７０８は、下流柄部分４４４の上流端７２８に位置してもよい。
【０１６６】
別の実施形態において、スリーブ７１６は、開位置の弁７１２の切り替え出口７０４と切り替え入口７０８とに位置合わせされた一以上の開口を有してもよい。閉位置において、スリーブ７１６の開口は、柄１４４の孔の開いていない壁部と並ぶことにより閉じられ、切り替え出口７０４と切り替え入口７０８とはスリーブ７１６の孔の開いていない壁部と並ぶことにより閉じられてもよい。この場合、弁７１２が開位置にあっても閉位置にあっても、スリーブ７１６は、上流柄部分４４０と下流柄部分４４４との内側に位置してもよい。
【０１６７】
スリーブ７１６は、閉位置に付勢されていることが好ましい。例えば、弁７１２は、スリーブ７１６を閉位置に付勢するようにスリーブ７１６に作用する付勢部材を備えてもよい。図示した例において、弁７１２は、ペダル７２０とスリーブ７１６とを閉位置へと上方向に促すようにペダル７２０に作用するバネ７３２を備える。別の実施形態において、スリーブ７１６は、閉位置に付勢されなくてもよい。例えば、スリーブ７１６は、スイッチやレバー等のアクチュエータを備えてもよく、スリーブ７１６を閉位置へと移動させるよう手動により動作させる必要があるか、アセンブリ１６０を取り外す際にアセンブリ１６０によって移動させる。
【０１６８】
更に図３３〜図３８を参照すると、サイクロン容器アセンブリ１６０は、サイクロン容器アセンブリ１６０をペダル７２０上に取り付けるようペダル７２０と結合する係合部材を備えてもよい。図示した例において、ペダル７２０を受け入れるためにサイクロン容器アセンブリ１６０の側壁３７６内に空洞部７３６が形成される。使用時には、ペダル７２０が空洞部７３６に受け入れられるようにサイクロン容器アセンブリ１６０をペダル７２０上にセットしてもよい。ペダル７２０上でのサイクロン容器アセンブリ１６０の重量は、弁付勢部材７３２の付勢に負けないように、ペダル７２０とスリーブ７１６とを開位置に向かって下方向に移動させるのに十分な重量とすることが好ましい。別の実施形態において、ユーザによって追加的な下方の力を加えて、付勢部材７３２の付勢に対抗してアクチュエータペダル７２０とスリーブ７１６とを下方向に移動させる必要がある、及び／又は、フットペダル等のアクチュエータを利用してもよい。
【０１６９】
サイクロン容器アセンブリ１６０をペダル７２０上にその先を斜め方向に向け（ｔｏｅｄ）（例えば、図３４、図３７参照）、ペダル７２０とスリーブ７１６とが開位置まで下方に移動したらペダル７２０上で適所に旋回させてもよい（例えば、図３５、図３８参照）。図示した例において、サイクロン軸３９２を柄の軸７４０に対して（ゼロでない）角度に伸ばしてサイクロン容器アセンブリ１６０をペダル７２０上にセットし、その後、ペダル７２０を用いて下に下げて弁７１２を開位置まで移動させ、最終的に柄１４４に向かってペダル７２０の周りで旋回させて、サイクロン容器アセンブリ１６０の柄１４４への接続を完了してもよい。上端の端部又は柄１４４に位置するラッチ７４４等のロック部材を設けて、アセンブリ１６０の位置を固定してもよい。幾つかの実施形態において、サイクロン容器アセンブリ１６０を柄１４４に接続すると、サイクロン軸３９２は、柄の軸７４０に略平行としてもよい。
【０１７０】
サイクロン容器アセンブリ１６０は、柄１４４を上流柄部分４４０と下流柄部分４４４とに分けて、上流柄部分４４０からの流れをサイクロン容器アセンブリ入口３１６へと切り替える切り替え部材４２８を備えてもよい。切り替え部材４２８は、任意の適切な形式をとってもよい。図示した実施形態において、切り替え部材４２８は、側壁３７６の中心から離れて延びる略平板上の板であって、切り替え出口７０４、切り替え入口７０８、又は柄１４４の別の開口のうちの一つを介して柄１４４内部に突出する。或いは、切り替え部材４２８は、曲線状であってもよく、空気流の方向を急激に変化させにくくし、切り替え部材４２８を介した圧力の低下を減少させるものである。任意に、切り替え部材４２８は、シーリング部材（例えば、変形可能なエラストマーシール）を備える又はシーリング部材と相互作用していてもよく、上流柄部分４４０と下流柄部分４４４との間に気密バリアを形成する。或いは、切り替え部材は、サイクロン容器アセンブリ１６０を柄１４４に接続する際（すなわち、その前、その最中、及び／又はその後）の別の工程として設置される別の部材であってもよい。
【０１７１】
例示するように、サイクロン容器アセンブリ１６０を柄１４４に取り付ける際、図３５及び図３８に示すように、サイクロンチャンバ３０８の空気入口３１６は、上流柄部分４４０からサイクロンチャンバ３０８への空気を受け入れるための切り替え出口７０４に接続され、出口流路４７６は、サイクロン容器アセンブリ１６０から下流柄部分４４４へと空気を排気するための切り替え入口７０８に接続される。
【０１７２】
サイクロン容器アセンブリ１６０は、任意の適切な機構によって柄１４４に取り外し可能に取り付けられてもよい。図示した実施形態において、サイクロン容器アセンブリ１６０は、柄１４４の外側に延びるタブ７４６と係合するハンドル６１６上のラッチ７４４を備える。ラッチ７４４は、ハンドル６１６を握っているユーザが、ラッチ７４４をタブ７４６から外してサイクロン容器アセンブリ１６０を柄１４４から分離させられるようにユーザ動作可能としてもよい。サイクロン容器アセンブリ１６０を分離すると、弁７１２の付勢部材７３２が自動的に且つ即座にスリーブ７１６を閉位置に移動させて、切り替え入口と出口７０４と７０８とを閉じることで空気流路を再構成することが好ましい。
【０１７３】
第二の実施形態による切り替え弁７１２について図３９〜図４４に例示する。切り替え弁７１２は、例えば、スリーブ７１６をより固い導管ではなく折りたためるホース７１６によって実現すること以外、図３３〜図３８の切り替え弁７１２と同様である。
【０１７４】
例示するように、切り替え弁７１２は、柄１４４の内部に配置した折りたたみ可能なスリーブ７１６と、ホース７１６を開位置までと閉位置との間で移動させるペダル７２０とを備える。
【０１７５】
スリーブ７１６は、切り替え弁７１２が閉位置にある際の（図４１及び図４４を参照）上流柄部分４４０と下流柄部分４４４とを流体連結するための折りたたみ可能な導管であって、切り替え入口と出口７０８と７１２とをバイパスしてもよい。任意に、切り替え弁７１２は、スリーブ７１６と上流柄部分４４０との間及びスリーブ７１６と下流柄部分４４４との間に気密シールを形成する一以上のシール部材（例えば、Ｏリング）を備えてもよく、これにより切り替え弁７１６が閉位置にある際の切り替え入口と出口７０４と７０８とから空気が逃げないようにすることができる。
【０１７６】
図示した実施形態において、スリーブ７１６は、上流柄部分４４０にシールされた固定位置の上流端７５６と柄１４４の内部で軸方向に移動可能な下流端７６０とを有する。下流端７６０は、上流端７５６に向かって開位置まで移動可能としてもよく（図４１及び図４４）、これによってスリーブ７１６は、下流端７６０が切り替え出口７０４上流の上流柄部分４４０内に配置されて一部が折りたたまれる。下流端７６０は、上流端７５６から離れて閉位置まで移動可能としてもよく（図３９及び図４２）、これによってスリーブ７１６は、下流端７６０が切り替え入口７０８下流の下流柄部分４４４内に配置されて延びた状態となる。
【０１７７】
例示するように、ペダル７２０は、スリーブ７１６の下流端７６０に駆動可能に連結されてもよい。ペダル７２０を押すことにより（例えば、サイクロン容器アセンブリ１６０の重量で）、下流端７６０を上流柄部分４４０内に移動させ、スリーブ７１６を図４１及び図４４の開位置内に折りたたんでもよい。またペダル７２０を上げてと（例えば、押していたペダル７２０を放して付勢部材７３２の作用により自動的に又はアセンブリ１６０を上に引くと）、下流端７６０を下流柄部分４４４内に移動させ、スリーブ７１６を図３９及び図４２の閉位置へと延ばしてもよい。或いは、手動アクチュエータを使用してもよい。
【０１７８】
第三の実施形態による切り替え弁７１２について図４５〜５２に例示する。例示するように、切り替え弁７１２は、切り替え出口扉７７２と切り替え入口扉７７６とを備えてもよい。扉７７２と７７６とは、サイクロン容器アセンブリ１６０を柄１４４に接続すると開放され、空気流路が再構成されてサイクロン容器アセンブリ１６０内に延びるようにしてもよい。サイクロン容器アセンブリ１６０を柄１４４から分離すると、扉７７２と７７６とは閉じられ、空気流路が再構成されて上流柄部分４４０と下流柄部分４４４との間の敷居を介して直接延びるようにしてもよい。
【０１７９】
図示した実施形態において、扉７７２と７７６とが切り替え出口７０４と入口７０８とをそれぞれシールする閉位置（図４５及び図４８〜５０）と、扉７７２と７７６とが開いて柄１４４とサイクロン容器アセンブリ１６０との間で扉７７２と７７６を介して空気が流れるようになる開位置（図４７及び図５２）との間を移動するよう、扉７７２と７７６とが柄１４４に旋回可能に取り付けられる。扉７７２と７７６は、任意の適切な方法で柄１４４に旋回可能に取り付けられてもよい。図示した例において、扉７７２と７７６は、一般的なヒンジ７８０によって柄１４４に旋回可能に取り付けられる。図示するように、扉７７２は、下流方向に向かってヒンジ７８０の周りを内側に旋回し、扉７７６は、上流方向に向かってヒンジ７８０の周りを内側に旋回してもよい。別の実施形態において、各扉７７２と７７６は、別々のヒンジによって柄１４４に旋回可能に取り付けられてもよい。
【０１８０】
扉７７２と７７６とは、サイクロン容器アセンブリ１６０を柄１４４に接続することによって自動的に開くことが好ましい。図示した例において、サイクロン容器アセンブリ１６０は、開放切り替え出口扉７７２を押す入口ノーズ７８４と、開放切り替え入口扉７７６を押す出口ノーズ７８８とを備える。図示するように、ノーズ７８４と７８８とは、側壁３７６の外側に延び、サイクロン容器アセンブリ１６０を柄１４４に接続すると、切り替え出口７０４と入口７０８とをそれぞれ介して突出するようにしてもよい。
【０１８１】
サイクロン容器アセンブリ１６０を柄１４４に接続する際、空気流路は、切り替え出口７０４と空気入口３１６との間及び切り替え入口７０８と空気出口３２０との間に形成され、サイクロン容器アセンブリ１６０を介して延びるよう上流柄部分４４０から下流柄部分４４４への空気流路が再構成されることが好ましい。図示するように、サイクロン容器アセンブリ１６０を柄１４４に接続することは、ノーズ７８４と７８８とが切り替え出口７０４と入口７０８とにそれぞれ押され、扉７７２と７７６が開くことを含んでもよい。
【０１８２】
ノーズ７８４と７８８とは任意の適切な形式をとってもよい。図示するように、ノーズ７８４は、上流端７９２と下流端７９６とを有する入口流路を備える切り替え部材として形成されてもよい。上流端７９２は、柄１４４内に延び、上流柄部分４４０とシールを形成して、上流柄部分４４０内の空気流の方向を変えてノーズ７８４を下流端７９６の方向に入れてもよい。図示した実施形態において、上流柄部分４４０は、切り替え出口扉７７２の上流側８０４の近傍にシーリング用リング８００を備え、その上に下流端７９６を固定して、上流柄部分４４０と下流端７９６との間に気密シールを形成してもよい。或いは又は追加的に、上流側８０４がシーリング部材を備えてもよい。ノーズ７８４の下流端７９６は、空気入口３１６と一体的に形成するか接続してもよい。
【０１８３】
図示した例において、ノーズ７８８は、空気出口３２０から外側に突出する三角形のプレートとして形成する。他の実施形態において、ノーズ７８８は、切り替え入口扉７７６を押すための任意の適切な形状であってよく、例えば、円形または矩形のプレートや棒状が例として挙げられる。図示するように、サイクロン容器アセンブリ１６０を柄１４４に接続すると、ノーズ７８８は、切り替え入口７０８内に突出して、開放切り替え入口扉７７６を押す。これによって、空気出口３２０が密閉されて切り替え入口７０８と当接し、空気出口３２０と下流柄部分４４４との間の空気流路を形成することができる。任意に、空気出口３２０と切り替え入口７０８との間の界面にシール８０８を設けて、接続の気密性を強化する。
【０１８４】
なお、別の実施形態において、ノーズ７８８は、出口流路として形成してもよく、ノーズ７８４と同様に曲線状とする。これによって、ノーズ７８８を介して空気流の方向が急に変化することが防がれ、圧力損失を低下させることができる。
【０１８５】
サイクロン容器アセンブリ１６０を柄１４４から分離する際、扉７７２と７７６とが自動的に閉じて、切り替え出口７０４や入口７０８を介した切り替えなしに、上流柄部分４４０から下流柄部分４４４に直接延びる空気流路を再構成することが好ましい。例えば、扉７７２と７７６とは、バネ等の付勢部材によって閉位置に付勢されてもよい。図示した実施形態において、切り替え弁７１２は、ねじりバネ８１２を備える。バネ８１２は、扉７７２と７７６とを共に閉位置に付勢するよう配置してもよい。図示した実施形態において、バネ８１２は、切り替え出口７７２の内側面８２０に取り付けたバネ筐体８１６内に保持される。図示するように、バネ８１２は、切り替え入口扉７７６に接続されたアーム８２４を有し、扉７７２と７７６とをそれぞれの閉位置へと互いに離間させるよう効果的に付勢してもよい。別の実施形態において、各扉７７２と７７６は、別の付勢部材を有してもよい。
【０１８６】
第四の実施形態による切り替え弁７１２について図５３〜５８に例示する。切り替え弁７１２は、例えば、扉が切り替え出口７０４及び入口７０８を選択的に閉じること以外、図４５〜図５２の切り替え弁７１２と同様である。
【０１８７】
図示した実施形態において、切り替え弁７１２は、扉７７２を備える。扉７７２は、扉７７２が切り替え出口７０４と入口７０８とをシールする閉位置（図５３及び図５６）と、扉７７２と出口７０４と入口７０８とのシールが解除されて、切り替え出口７０４と入口７０８との間で空気流が通過可能となるような開位置（図５５と図５８）との間を移動可能としてもよい。例示するように、切り替え弁７１２は、切り替え出口７０４と入口７０８との両方を閉じる一つの扉７７２又は切り替え出口７０４と入口７０８用の別々の扉７７２を備えてもよい。
【０１８８】
図示するように、扉７７２は、開位置と閉位置との間を移動するための適切な方法で柄１１４に旋回可能に取り付けられてもよい。例えば、扉７７２は、ヒンジ７８０によって柄１４４の外側に旋回可能に取り付けられてもよい。図示した例において、扉７７２は、開位置へと柄１４４から離間するようにヒンジ７８０の周りを外側に旋回し、閉位置へと柄１４４の方向にヒンジ７８０の周りを内側に旋回してもよい。扉７７２が手動で動作可能であることが好ましく、これによってユーザは扉７７２を把持して閉位置から開位置へと手動により扉７７２を動かす。例えば、扉７７２がレバー８４０、ハンドル、又は他の把持部材を有し、ユーザは、扉７７２の位置を操作するためにこれを把持してもよい。
【０１８９】
扉７７２が開くと、図５４及び図５７に示すように、サイクロン容器アセンブリ１６０が柄１４４に接続されてもよい。図示した実施形態において、サイクロン容器アセンブリ１６０は、図３３〜３８で先に参照した種類の切り替え部材４２８を備える。略上述のように、切り替え部材４２８が切り替え出口７０４、切り替え入口７０８、又は柄１４４の他の開口を介して柄１４４内部に移動し、柄１４４を上流柄部分４４０と下流柄部分４４４とに分けてもよい。
【０１９０】
サイクロン容器アセンブリ１６０を柄１４４から取り外す際、扉７７２が閉位置に戻るよう移動して、柄１４４内の空気流路を再構成し、切り替えなしに上流部４４０から下流部４４４へと直接延びるようにしてもよい。例えば、扉７７２を手動で開位置から閉位置へと手で移動させて、又は扉７７２が付勢部材（例えば、バネ）の付勢によって閉位置に自動で移動させてもよい。
【０１９１】
幾つかの実施形態において、扉７７２を付勢部材の付勢によって又は開放可能なロック機構（例えば、ラッチ）によって閉位置に保持してもよい。これによって、扉７７２と切り替え出口７０４と入口７０８とに対する気密シールが形成可能となる。
【０１９２】
幾つかの実施形態において、ペダル７２０は足で動作可能としてもよく、表面クリーニングヘッドの近く又はその上に配置してもよい。
ハンドクリーナの軸合わせ
【０１９３】
本開示の別の態様によれば、ハンドクリーナにおいて複数の空気流路の区画は並列に延びていてもよい。但し、この態様は単独で使用してもよく、本開示の他の一以上の態様と組み合わせてもよい。場合によって、これによってハンドクリーナを介した空気流の継ぎ手（ｂｅｎｄ）の数を減らすことができ、空気流路での圧力降下が減少する。
【０１９４】
図６０に例示するように、ハンドクリーナの入口ノズル４１２は、ノズル軸８８４に沿って上流ノズル端４１６から後方に長さが延びていてもよい。ハンドクリーナサイクロンチャンバ１８４は、空気入口１９２からサイクロン軸２４８に沿って空気出口１９６に延びていてもよい。ハンドクリーナ吸引モータ２０４は、モータ入口１１０８からモータ軸２５２に沿ってモータ出口１１１２に延びていてもよい。
【０１９５】
幾つかの実施形態において、ノズル軸８８４、サイクロン軸２４８、及びモータ軸２５２のうちの２つ以上は平行であってもよい。例えば、図示した実施形態において、ノズル軸８８４、サイクロン軸２４８、及びモータ軸２５２は平行である。幾つかの実施形態において、ノズル軸８８４、サイクロン軸２４８、及びモータ軸２５２のうちの２つ以上は同軸であってもよい。例えば、図示した実施形態において、ノズル軸８８４とサイクロン軸２４８とは同軸である。他の実施形態において、ノズル軸８８４、サイクロン軸２４８、及びモータ軸２５２の全てが同軸であってもよい。
【０１９６】
図示した実施形態において、ハンドクリーナ１１２は、動力を上流アタッチメント（例えば表面クリーニングヘッド）に提供するための電気コネクタ（ｅｌｅｃｔｒｉｃａｌ  ｃｏｎｎｅｃｔｏｒ）１１１６を備えてもよい。図示するように、コネクタ１１１６は、前方コネクタ端１１２０からコネクタ軸１１２４に沿って後方コネクタ端１１２８に延びていてもよい。幾つかの実施形態において、コネクタ軸１１２４は、ノズル軸８８４、サイクロン軸２４８、及びモータ軸２５２のうちの一以上と平行であってもよい。図示した実施形態において、コネクタ軸１１２４は、ノズル軸８８４、サイクロン軸２４８、及びモータ軸２５２と平行である。
【０１９７】
幾つかの実施形態において、ハンドクリーナ１１２は、一以上の電線１１３２を備えてもよい。これらの電線は、電気コネクタ１１１６から後方に延びて、電気コネクタ１１１６を電源（図示せず）に電気的に連結する。図示した実施形態において、電線１１３２は、コネクタ１１１６から後方にサイクロンチャンバ１８４の渦ファインダ１１３６に沿ってモータ筐体１１３８に向かって延びる。図示するように、サイクロンチャンバ１８４を横断して渦ファインダ１１３６に沿う電線１１３２の少なくとも一部は、サイクロン軸２４８に平行である。
軸方向サイクロン入口
【０１９８】
本開示の別の態様によれば、提供されるハンドクリーナは、軸方向入口（ａｘｉａｌ  ｉｎｌｅｔ）を備えるサイクロンチャンバを有してもよい。但し、この態様は単独で使用してもよく、本開示の他の一以上の態様と組み合わせてもよい。即ち、入口軸はサイクロン軸に平行であってもよく、サイクロン軸と同軸であることがより好ましい。場合によって、これによってサイクロンを介した空気流の継ぎ手の数を減らすことができ、サイクロン間の圧力降下が減少して空気圧の効率がよくなる。サイクロンは、ユニフローサイクロンであることが好ましく、空気出口が空気入口と反対側の端部である。或いは又はこれに加えて、軸方向入口は、軸方向の流れを接線方向の流れに変換する部分を備え、この部分は、サイクロンチャンバの径内部に設けられる。任意に、軸方向入口は、ハンドクリーナの空気入口と平行であり及び同軸であってもよい。
【０１９９】
図６０に例示するように、ハンドクリーナのサイクロンチャンバ１８４は、空気入口１９２と空気出口１９６とを備える。図示するように、空気入口１９２は、サイクロン軸２４８に平行な入口軸１１４０を備えてもよい。空気入口１９２は、入口径１１４４を有し軸１１４０を横切る円形断面又は側部寸法１１４４を有する矩形である。空気入口１９２の断面積が入口ノズル４１２の断面積と略同じであることが好ましい。空気入口１９２の断面積は、入口ノズル４１２の断面積の８０％〜１２５％であることが好ましく、より好ましくは９０％〜１２０％であって、１００％〜１１５％であることが最も好ましい。
【０２００】
入口１９２は、入口流路３８４の上流端３８８と流体連通することが好ましい。入口流路３８４は、入口１９２を通過する空気流の向きを接線方向の流れに変え、サイクロンチャンバ１８４内部のサイクロン動作を生じさせてもよい。図１１及び図１１ａを参照すると、入口流路３８４は、弓状の角度の範囲１１４８を横切って上流流路端３８８から下流流路端３９６へと延びていてもよい。角度範囲１１４８が４５〜３００°の間であることが好ましく、６０〜２５０°であることがより好ましく、９０〜２００°であることが最も好ましい。
【０２０１】
図６０に戻って、入口流路３８４は、幅１１５２と高さ１１０８を有するものとして示される。幾つかの実施形態において、入口流路３８４の断面積は、空気入口１９２の断面積と略同じであってもよい。入口流路３８４の断面積は、入口流路３８４の断面積の８０％〜１２５％であることが好ましく、より好ましくは９０％〜１２０％であって、１００％〜１１５％であることが最も好ましい。
【０２０２】
渦ファインダ１１３６は、サイクロンチャンバ１８４の空気出口１９６への出口流路を形成する。図示するように、渦ファインダ１１３６は、径１１６０を有する略円筒形である。図示した実施形態において、渦ファインダ１１３６の断面積が入口ノズル４１２の断面積と略同じである。例えば、径１１６０は、入口ノズル４１２の径１１６４と略同じである。渦ファインダ１１３６の断面積は、入口ノズル４１２断面積の８０％〜１２５％であることが好ましく、より好ましくは９０％〜１２０％であって、１００％〜１１５％であることが最も好ましい。
ユニフローサイクロン
【０２０３】
本開示の別の態様によれば、提供されるハンドクリーナは、空気出口が空気入口の反対側にあるようなサイクロンチャンバを有してもよい。但し、この態様は単独で使用してもよく、本開示の他の一以上の態様と組み合わせてもよい。場合によって、これによってサイクロンを介した空気流の継ぎ手の数を減らすことができ、サイクロン間の圧力降下が減少して空気圧の効率がよくなる場合がある。任意に、サイクロン入口は、ハンドクリーナの前方即ち入口端にあり、ハンドクリーナの空気入口と平行又は同軸であってよい。
【０２０４】
図６０に例示するように、ハンドクリーナ入口１９２は、サイクロンチャンバ１８４の前方端２２０に配置され、出口１９６は、サイクロンチャンバ１８４の後端２２４に配置される。入口１９２は、出口１９６の出口軸１１６８に平行な入口軸１１４０を有してもよい。図示した実施形態において、入口軸１１４０は、出口軸１１６８と同軸である。
【０２０５】
任意に、吸引モータ軸は、軸１１４０、１１６８と平行又は同軸であってもよい。従って、空気は、ハンドクリーナの部品を介して略均一な方向に移動してもよい。
バッテリ電力
【０２０６】
本開示の別の態様によれば、表面クリーニングヘッド又は直立部は、ハンドクリーナを表面クリーニングヘッド又は直立部に接続した際にハンドクリーナに電力を供給するための一以上のバッテリを備えてもよい。但し、この態様は単独で使用してもよく、本開示の他の一以上の態様と組み合わせてもよい。ハンドクリーナは更に、ハンドクリーナを直立部及び表面クリーニングヘッドに接続及び取り外した際に（例えば、床上清掃モード又はハンドクリーナモード）、ハンドクリーナに電力を供給するハンドクリーナのバッテリを備えてもよい。ハンドクリーナを表面クリーニングヘッドに電気的に接続すると、表面クリーニングヘッドのバッテリがハンドクリーナ内のバッテリを補足してもよく、又は表面クリーニングヘッドのバッテリが唯一の電源であってもよい。
【０２０７】
図３に例示するように、表面クリーニング装置１００（本明細書に開示する他の任意の表面クリーニング装置）は、ハンドクリーナ１１２に取り付けた一以上のハンドクリーナバッテリ１２６８と一以上の補足バッテリ１２７２とを備えてもよい。補足バッテリ１２７２は、ハンドクリーナ１１２以外の装置１００の任意の適切な部品に取り付けてもよい。例えば、図示した補足バッテリ１２７２は、表面クリーニングヘッド１０４に取り付けられている。或いは又は追加的に、補足バッテリ１２７２は、直立部１０８に取り付けてもよい。
【０２０８】
ここでは、「複数の電池」と言及しているが、これは一以上の電池を意味する。例えば、補足バッテリ１２７２は、一つのバッテリ又は複数のバッテリであってもよい。同様に、ハンドクリーナのバッテリ１２６８は、一つのバッテリ又は複数のバッテリであってもよい。バッテリ１２７２及び１２６８は、ＮｉＣａｄ、ＮｉＭＨ、リチウムバッテリ等の任意の適切な形式のバッテリであってよい。但し、バッテリ１２７２と１２６８とは再充電可能であることが好ましいが、別の実施形態において、バッテリ１２７２と１２６８のうちのいずれか又は両方は再充電可能ではなく使い捨てのバッテリであってもよい。
【０２０９】
図示した実施形態において、ハンドクリーナ１１２を直立部１０８に接続すると、補足バッテリ１２７２とハンドクリーナ１１２との間に電気接続が形成されてもよく、これは例えば吸引モータ２０４に電力を供給するためである。
【０２１０】
幾つかの実施形態において、補足バッテリ１２７２は、吸引モータ２０４によるより大きな吸引力（ｓｕｃｔｉｏｎ）のための強化された電力をハンドクリーナ１１２に供給してもよい。例えば、吸引モータ２０４は高消費電力モードで動作する場合、補足バッテリ１２７２から電力を引き出し、又は補足バッテリ１２７２とハンドクリーナのバッテリ１２６８とから同時に電力を引き出してもよい。
【０２１１】
幾つかの実施形態において、補足バッテリ１２７２は、充電の間の清掃時間を延長させるような余分のエネルギーをハンドクリーナ１１２に供給してもよい。例えば、補足バッテリ１２７２は、ハンドクリーナのバッテリ１２６８よりも大きなエネルギー容量（例えば、ワット時で計測）を有し、ハンドクリーナ１１２は、補足バッテリ１２７２によってより長い動作時間に渡って持続するようにしてもよい。幾つかの実施形態において、ハンドクリーナ１１２は、補足バッテリ１２７２とハンドクリーナのバッテリ１２６８の両方から電力を引き出し、ハンドクリーナのバッテリ１２６８だけの場合より大きな組み合わせたエネルギー蓄積容量を有してもよい。
【０２１２】
幾つかの実施形態において、補足バッテリ１２７２は、ハンドクリーナのバッテリ１２６８が空になるのを遅らせる又は避けるように、ハンドクリーナのバッテリ１２６８よりむしろハンドクリーナに電力を供給してもよい。例えば、ハンドクリーナ１１２がほぼ使い切るまで補足バッテリ１２７２から電力を引き出した後に、ハンドクリーナのバッテリ１２６８から電力を引き出してもよい。これによって、ハンドクリーナ１１２が補足バッテリ１２７２から取り外された際（例えば、装置１００の床上清掃モードやハンドクリーナモード）、使用するハンドクリーナのバッテリ１２６８の電力を節約することができる。幾つかの実施形態において、ハンドクリーナ１１２は、ハンドクリーナ１１２が補足バッテリ１２７２に電気的に接続されると、ハンドクリーナのバッテリ１２６８からは電力を引き出さなくてもよい。
【０２１３】
幾つかの実施形態において、ハンドクリーナ１１２は、補足バッテリ１２７２から電力を引き出してハンドクリーナのバッテリ１２６８を再充電してもよい。これによって、ハンドクリーナ１１２が補足バッテリ１２７２から取り外された際（例えば、装置１００の床上清掃モードやハンドクリーナモード）、ハンドクリーナのバッテリ１２６８を使い切ってしまわないようにすることができる。場合によって、補足バッテリ１２７２は、装置１００の電源がオンになっていない場合にのみハンドクリーナのバッテリ１２６８を再充電してもよい。
【０２１４】
幾つかの実施形態において、補足バッテリ１２７２は、表面クリーニング装置が外部電源出力に接続されているときはいつでも再充電してもよい。場合によって、ハンドクリーナのバッテリ１２６８は、ハンドクリーナ１１２が外部電源出力に電気的に接続されている際に（例えば、表面クリーニングヘッド１０４又は直立部１０８が電気コード（図示せず）によって電源出力に接続されていてハンドクリーナ１１２が表面クリーニングヘッド１０４又は直立部１０８に接続されている場合）再充電してもよい。
【０２１５】
幾つかの実施形態において、補足バッテリ１２７２及びハンドクリーナのバッテリ１２６８のうちの一以上が空気流路内に配置されてもよい。これにより、このように配置されたバッテリを冷却することができ、バッテリが過熱されるのを防いでバッテリの性能が改善される場合がある。図示した例において、ハンドクリーナのバッテリ１２６８は、モータ筐体１１３８内部の空気流路内に配置されてもよい。例えば、ハンドクリーナのバッテリ１２６８は、吸引モータ２０４と清浄空気出口１３２との間でモータ筐体１１３８内部に配置されてもよい。ハンドクリーナのバッテリ１２６８上を通過する空気は、バッテリ１２６８を冷却し続けるのに役立つ場合がある。
【０２１６】
補足バッテリ１２７２を空気流路内に配置し、バッテリ１２７２の冷却を促進してもよい。図示した例において、補足バッテリ１２７２は、汚染空気入口１２４と下流端１２４０との間の空気流路内で表面クリーニングヘッド１０４内部に配置される。バッテリ１２７２上を通過する空気は、バッテリ１２７２を冷却し続けるのに役立つこともできる。
【０２１７】
別の実施形態において、補足バッテリ１２７２及びハンドクリーナのバッテリ１２６８のうちのいずれか又は両方が、（例えば受動的に冷却されるように）空気流路の外側に配置されてもよい。
ハンドクリーナのサイクロン容器アセンブリバイパス
【０２１８】
本開示の別の態様によれば、ハンドクリーナのサイクロン式空気処理部材は、補足サイクロン容器アセンブリを設ける場合にはバイパスされてもよい。但し、この態様は単独で使用してもよく、本開示の他の一以上の態様と組み合わせてもよい。これによって、直立部から取り外した際にハンドクリーナは利用可能な集塵能力をより多く又は全て有するので、ハンドクリーナ内に塵が溜まるのが防ぐことができる。或いは又は追加的に、補足サイクロン容器アセンブリを設ける場合は、ハンドクリーナ１１２の予備モータフィルタをバイパスしてもよい。例えば、補足サイクロン容器アセンブリは、予備モータフィルタを備えてもよい。予備モータフィルタは、ハンドクリーナ１１２の予備モータフィルタより大きな表面積を有する。従って、ハンドクリーナ１１２の予備モータフィルタをバイパスすることで、ハンドクリーナ１１２の予備モータフィルタは床上清掃モードでのみ使用するものとし、これによって、清掃又は交換が必要となるまでのハンドクリーナ１１２の予備モータフィルタの使用可能時間を延長することができる。
【０２１９】
図６３〜図６５を参照すると、ハンドクリーナ１１２は、一次空気流路１２２８とバイパス空気流路１２３２とを備える。図示するように、一次空気流路１２２８は、空気入口１９２からサイクロン容器アセンブリ１３６を介して吸引モータ２０４まで延びていてもよく、バイパス空気流路１２３２は、空気入口１９２から吸引モータ２０４までサイクロン容器アセンブリ１３６をバイパスして延びていてもよい。幾つかの実施形態において、バイパス空気流路１２３２は、予備モータフィルタチャンバ５５６の予備モータフィルタを介して延びていてもよく、別の実施形態において、バイパス空気流路１２３２は、予備モータフィルタチャンバ５５６の予備モータフィルタをバイパスしてもよい。なお、ハンドクリーナのサイクロン及び／又は予備モータフィルタをバイパスしてもよい。もし両方をバイパスするならば、ハンドクリーナの原動力の一部又は全てを装置１６８を介して空気を吸い込むことに使用し、吸引モータの上流の空気処理には使用しなくてもよい。
【０２２０】
図示した実施形態において、バイパス空気流路１２３２は、一部バイパス流路１２３６によって形成される。バイパス流路１２３６は、ハンドクリーナ入口４１６と空気流連通する上流端１２３８とモータ入口１１０８と空気流連通する下流端１２４０とを有してもよい。図６５に示した実施形態で例示するように、上流端１２３８は、ハンドクリーナノズル４１２の側壁内に形成され、下流端１２３９は、予備モータフィルタチャンバ５５６の壁内に形成されてもよい。幾つかの実施形態において、下流端１２３９によって、バイパス流路１２３６からの空気を上流プレナム（ｐｌｅｎｕｍ）１２０８内に向かわせ、図示するように予備モータフィルタ１１７６と１１８０とを介したバイパス空気流路１２２８としてもよい。別の実施形態において、下流端１２３９によって、バイパス流路１２３６からの空気を下流プレナム１２１２内に向かわせ、予備モータフィルタ１１７６と１１８０とをバイパスしてもよい。
【０２２１】
例示するように、装置１６８は、一次空気流路１２２８とバイパス空気流路１２３２とを選択的に開閉するバイパス弁１２４０を備えてもよい。バイパス弁１２４０は、ハンドクリーナ１１２、柄１４４、及び補足サイクロン容器アセンブリ１６０のうちのいずれか一以上内に配置してもよく、任意の適切な形式をとってもよい。例えば、幾つかの実施形態において、バイパス弁１２４０は、一次空気流１２２８とバイパス空気流路１２３２とを開閉するのに協働且つ相互作用する、ハンドクリーナ１１２、柄１４４、及び補足サイクロン容器アセンブリ１０８のうちのいずれか２つ以上に配置した部品を備えてもよい。
【０２２２】
図示した実施形態において、バイパス弁１２４０は、ハンドクリーナ１１２の入口ノズル４１２内に配置される。バイパス弁１２４０は、バイパス空気流路１２３２が閉じて一次空気流路１２２８が開いた第一位置（図６３及び図６４）と、バイパス空気流路１２３２が開いて一次空気流路１２２８が閉じた第二位置（図６５）との間で移動可能であってもよい。
【０２２３】
図６３〜図６５に例示するように、バイパス弁１２４０は、車輪１２４２、扉１２４４及びアクチュエータ１２４６を備えてもよい。車輪１２４２は、ノズル４１２に回転可能に接続され、その中心の周りを回転してもよい。扉１２４４は、車輪１２４２にしっかり接続され、車輪１２４２と一体となって回転してもよい。例えば、扉１２４４と車輪１２４２とは一体として共に回転してもよい。図示するように、扉１２４４と車輪１２４２とは、扉１２４４がバイパス流路１２３６の上流端１２３８を密閉する第一位置（図６３及び図６４）と、扉１２４４がサイクロンチャンバ１８４の空気入口１９２を密閉する第二位置（図６５）との間を回転可能であってもよい。
【０２２４】
例示するように、アクチュエータ１２４６は、車輪１２４２の中心から離れて放射状に車輪１２４２に接続された上端１２４８を備えてもよい。アクチュエータ１２４６は、下部位置（図６３及び図６４）と上昇位置（図６５）との間を鉛直方向に移動可能であってもよい。図示するように、下部位置から上昇位置へとアクチュエータ１２４６が移動すると、車輪１２４２と扉１２４４とが時計回りに回転し、扉１２４４が第二位置（図６５）に移動して、扉１２４４によってサイクロンチャンバ１８４の入口１９２が密閉されてもよい。更に、上昇位置から下部位置へとアクチュエータ１２４６が移動すると、車輪１２４２と扉１２４４とが反時計回りに回転し、扉１２４４が第一位置（図６３及び図６４）に移動して、扉１２４４によってバイパス流路１２３６の上流端１２３８が密閉されてもよい。
【０２２５】
幾つかの実施形態において、アクチュエータ１２４６は、下部位置に付勢されてもよい（図６３及び図６４）。従って、扉１２４４と車輪１２４２とは、扉１２４４がバイパス流路１２３６の上流端１２３８を密閉する第一位置（図６３及び図６４）に付勢されてもよい。アクチュエータ１２４６は、線形コイルばね１２５０等の任意の適切な方法で付勢されてよい。別の実施形態において、車輪１２４２は、ねじりバネ等の適切な方法で時計回りに付勢されてもよい。
【０２２６】
アクチュエータ１２４６は、空気流路の外側に延びる下端１２５２を有してもよい。アクチュエータ１２４６を下部位置から上昇位置へと鉛直方向に移動させてバイパス空気流路１２３２を開放し一次空気流路１２２８を閉じると、下端１２５２が作動してもよい。図示するように、ハンドクリーナ１１２を柄１４４から取り外すと（図６３）、バイパス弁１２４０はバイパス空気流路１２３２を（例えば、バネ１２５０の付勢下で）閉じてもよい。更に、ハンドクリーナ１１２を補足サイクロン容器アセンブリ１６０無しに柄１４４に接続すると（図６４）、バイパス弁１２０が更にバイパス空気流路１２３２を閉じてもよい。これら各場合において、ハンドクリーナ１１２に入る空気は、ハンドクリーナのサイクロン容器アセンブリ１３６を介して誘導され、空気流から塵が分離される。これによって、補足サイクロン容器アセンブリ１６０から取り外されてもハンドクリーナ１１２が動作可能となる。
【０２２７】
図６５に示すように、ハンドクリーナ１１２とサイクロン容器アセンブリ１６０とを共に柄１４４に接続すると、サイクロン容器アセンブリ１６０の上端１２５４（図示した例ではハンドル１２５４）が、アクチュエータの下端１２５２を押し、アクチュエータ１２４６を上方に移動させる。これによって、車輪１２４２と扉１２４４とが反時計回りに回転し、バイパス空気流路１２３２を開放して一次空気流路１２２８を閉じてもよい。図示するように、サイクロン容器アセンブリ１６０を出た空気は、サイクロンチャンバ１８４をバイパスしてバイパス空気流路１２３２を通過して吸引モータ２０４へと移動する。これによって、ハンドクリーナのサイクロン容器アセンブリ１３６の代わりに、補足サイクロン容器アセンブリ１６０が空気流路からの塵を分離及び回収可能となる。これによってハンドクリーナの集塵チャンバ１８８に塵が溜まりにくくなり、ユーザがサイクロン容器アセンブリ１６０を取り外すよう選択する場合には、ハンドクリーナの集塵チャンバ１８８の利用可能な集塵能力を最大限とするのに役立つことも可能である。
【０２２８】
図示した例において、下端１２５２は傾斜している。これによって、補足サイクロン容器アセンブリ１６０を柄１４４の内部に先を斜めに向けて配置し、柄１４４に向かって水平方向に回転させて、柄１４４との接続を完了して、補足容器アセンブリ１６０の上端１２５４が下端１２５２の傾斜部に乗ってアクチュエータ１２４６を上方に押し上げてもよい。
【０２２９】
従って、補足サイクロン容器アセンブリ１６０をハンドクリーナ１１２との空気流連通から接続及び分離すると自動的にバイパス弁１２４０が作動して、ハンドクリーナ１１２の空気流路を再構成してもよい。例えば、バイパス弁１２４０は、ハンドクリーナ１１２が補足容器アセンブリ１６０と空気流連通せずハンドクリーナ１１２の空気処理部材が空気流から塵を分離している場合はいつでもバイパス空気流路１２３２を閉じるよう付勢されてもよい。同様に、バイパス弁１２４０は、ハンドクリーナ１１２が補足容器アセンブリ１６０と空気流連通してハンドクリーナ１１２の空気処理部材が空気流から塵を分離せず溜めていない場合はいつでもバイパス空気流路１２３２を開放して一次空気流路１２２８を閉じるよう構成されてもよい。
【０２３０】
表面クリーニング装置１６８の幾つかの実施形態について以下に示す。幾つかの実施形態と関連する図面において、バイパス弁１２３２及び／又は切り替え弁７１２は概略的に示される場合がある。なお、これらの実施形態は、上述のようなバイパス弁１２３２及び／又は切り替え弁７１２を用いて、又は他の適切な弁を用いて実施可能である。
【０２３１】
図６６を参照すると、幾つかの実施形態において、補足サイクロン容器アセンブリ１６０は、空気流路内に配置された一以上の予備モータフィルタ１２５６（これ以降、単数の予備モータフィルタ１２５６と称する）を備えてもよい。予備モータフィルタ１２５６がサイクロンチャンバ３０８の下流に配置されることが好ましい。図示するように、予備モータフィルタ１２５６は、サイクロンチャンバの空気出口３２０と出口流路４７６との間に配置されてもよい。
【０２３２】
幾つかの実施形態において、予備モータフィルタ１２５６は、ハンドクリーナ１１２の予備モータフィルタ１１７６及び１１８０の代わりに空気流からの細かい塵粒子を分離してもよい。図示するように、バイパス弁１２３２は、補足サイクロン容器アセンブリ１６０からの空気をバイパス空気流路内へと切り替えて、ハンドクリーナのサイクロン容器アセンブリ１３６と予備モータフィルタ１１７６と１１８０とをバイパスしてもよい。例えば、バイパス流路１２３６の下流端１２３９によって、バイパス空気流路１２３２を下流プレナム１２１２へと向かわせ、予備モータフィルタ１１７６と１１８０とをバイパスしてもよい。
【０２３３】
なお、予備モータフィルタは、微粒子に対する所定のフィルタリング能力を有し、この箇所でのフィルタは清浄であるか交換されている。予備モータフィルタを補足サイクロン容器アセンブリ１６０に組み込むことで、補足サイクロン容器アセンブリ１６０をハンドクリーナに接続すればこのフィルタを使用し、ハンドクリーナの予備モータフィルタのフィルタリング能力を温存することができる。これによって、洗浄又は交換が必要となるまでにハンドクリーナの予備モータフィルタをより長く使用することができる。
【０２３４】
なお、空気流路内に配置した予備モータフィルタにおける顕著な圧力低下があると考えられる。直列に配置した場合は、フィルタの数が多すぎると汚染空気入口での空気流が著しく減少するような圧力低下が発生する場合がある。補足予備モータフィルタ１２５６とハンドクリーナの予備モータフィルタとで交互に空気流を濾過することで、アセンブリ１４０、１６０を取り付けずにハンドクリーナを使用した場合に、ハンドクリーナの予備モータフィルタの動作寿命を延長することもできる。
【０２３５】
図６７の別の実施形態において例示するように、表面クリーニングヘッド１０４は、第二吸引モータ１２５８を備えてもよい。第二吸引モータ１２５８は、ハンドクリーナ１１２を表面クリーニングヘッド１０４と流体連通するよう取り付けた際に、ハンドクリーナの吸引モータ２０４と並行に或いはその代わりに動作してもよい。例えば、補足サイクロン容器アセンブリ１６０を出た空気の一部はハンドクリーナの吸引モータ２０４に進み、別の部分は、第二吸引モータ１２５８へと進んでもよい。図示した実施形態において、切り替え弁７１２から第二吸引モータ１２５８への第二空気流路１２６０が、切り替え弁７１２と表面クリーニングヘッド１０４とを接続する空気流導管１２６２によって形成される。
【０２３６】
図示するように、補足サイクロン容器アセンブリ１６０がハンドクリーナ１１２と空気流連通する場合、空気流路は補足サイクロン容器アセンブリ１６０の空気処理部材（例えばサイクロンチャンバ３０８及び予備モータフィルタの１２５６）を介して延び、その後２つの並列な空気流路１２３２、１２６０に分かれる。バイパス空気流路１２３２は、空気流の一部をハンドクリーナのサイクロンチャンバ１８４をバイパスして（及び任意にハンドクリーナの予備モータフィルタ１１７６及び１１８０をバイパスして）ハンドクリーナの吸引モータ２０４へと向かわせ、第二空気流路１２６０は、空気流路の第二の部分をヘッド１０４の第二吸引モータ１２５８へと向かわせる。
【０２３７】
なお、並行して動作する吸引モータ１２５８と２０４とによって、吸引モータ１２５８及び２０４のいずれかが単独で動作する場合より表面クリーニングヘッド１０４での大きな吸引力を発生させることも可能である。これによって、補足サイクロン容器１６０が、ハンドクリーナの予備モータフィルタより大きな表面積を有する予備モータフィルタ１２５６を備えるので、２つの予備モータフィルタの使用による追加的な圧力低下を並列モータ１２５８と２０４の強化された吸引力によって補うことができる。
【０２３８】
図６８ａの別の実施形態において例示するように、補足吸引モータ１６０は、図６７の実施形態と同様に動作可能な第二吸引モータ１２５８を備えてもよい。第二吸引モータ１２５８は、ハンドクリーナの吸引モータ２０４と並行して動作してもよい。例えば、補足サイクロンチャンバ１６０を出た空気の一部はハンドクリーナの吸引モータ２０４に進み、別の部分は、第二吸引モータ１２５８へと進んでもよい。図示した実施形態において、出口流路４７８から第二吸引モータ１２５８への第二空気流路１２６０が、空気流導管１２６２によって形成される。
【０２３９】
図示するように、補足サイクロン容器アセンブリ１６０がハンドクリーナ１１２と空気流連通する場合、空気流路は補足サイクロン容器アセンブリ１６０の空気処理部材（例えばサイクロンチャンバ３０８及び予備モータフィルタの１２５６）を介して延び、その後２つの並列な空気流路１２３２、１２６０に分かれる。バイパス空気流路１２３２は、空気流の一部をハンドクリーナのサイクロンチャンバ１８４をバイパスして（及び任意にハンドクリーナの予備モータフィルタ１１７６及び１１８０をバイパスして）ハンドクリーナの吸引モータ２０４へと向かわせ、第二空気流路１２６０は、空気流路の第二の部分を第二吸引モータ１２５８へと向かわせる。
【０２４０】
図示するように、第二吸引モータ１２５８は、補足サイクロン容器アセンブリ１６０の集塵チャンバ１４０とサイクロンチャンバ３０８との下に位置し、第二吸引モータ１２５８は、表面クリーニングヘッド１０４の上で鉛直方向に一直線上にあってもよい。これによって、装置１６８の重力の中心を下げ、先端部に対する安定性が強化されることも可能である。
【０２４１】
幾つかの実施形態において、図示するように、予備モータフィルタは、バイパス空気流路１２３２と第二空気流路１２６０とのそれぞれの内部に配置してもよい。例えば、予備モータフィルタ１２５６は、出口流路４７８と第二吸引モータ１２５８との間の第二空気流路１２６０内に配置し、バイパス空気流路１２３２が空気流をハンドクリーナの予備モータフィルタ１１７６と１１８０を介するよう向かわせるようにしてもよい。図示した実施形態において、予備モータフィルタ１２５６は、補足サイクロン容器アセンブリ１６０の集塵チャンバ１４０の下に配置される。
【０２４２】
別の実施形態において、サイクロンチャンバ３０８から出た空気は、共通の予備フィルタを通過し、その後第二空気流路１２６０とバイパス空気流路１２３２とに分かれてもよい。例えば、図６８ｂにおいて、サイクロンチャンバ３０８の下流及び出口流路４７８の上流に位置する予備モータフィルタ１２５６が示される。図示するように、バイパス空気流路１２３２は、ハンドクリーナの予備モータフィルタ１１７６と１１８０とをバイパスしてもよい。これによって、補足サイクロン容器アセンブリ１６０がハンドクリーナ１１２の空気流連通から分離された際に使用するために予備モータフィルタ１１７６と１１８０との濾過機能を温存しておくことができる。別の実施形態において、予備モータフィルタ１１７６と１１８０とは、バイパス空気流路１２３２内に配置してもよい。
【０２４３】
図６９ａに例示するように、集塵チャンバ１４０とサイクロンチャンバ３０８とは、密閉されたユニットとして柄１４４と第二吸引モータ１２５８から取り外し可能である。例えば、第二吸引モータ１２５８が柄１４４に取り付けられたままで集塵チャンバ１４０とサイクロンチャンバ３０８とを取り外し可能なように、第二吸引モータ１２５８を柄１４４に取り付け又は取り外し可能に取り付けてもよい。これによって、（かなりの重量を有する）第二吸引モータ１２５８を支える必要なく集塵チャンバ１４０とサイクロンチャンバ３０８とを綺麗に及び／又は空にする（例えばこれらをゴミ箱のところまで運んで内容物を放出する）ことが可能となる。また、アセンブリ１６０を一体として取り外し可能とし、装置を軽量又は床上清掃動作モードに変更してもよい。
【０２４４】
図７０に例示するように、ハンドクリーナ１１２と補足サイクロン容器アセンブリ１６０の空気処理部材とは、並行して動作可能である。例えば、ハンドクリーナ１１２と補足サイクロン容器アセンブリ１６０とは、汚染空気入口１２４の空気流の相互に排他的な部分から塵を分離してもよい。
【０２４５】
図示した例において、柄１４４は２つの空気流路を形成する。第一の空気流路１４２８は、柄１４４の第一の部分によって形成され、そこを移動する空気流を清浄化のために補足サイクロン容器アセンブリ１６０へと向かわせ、その後補足サイクロン容器アセンブリ１６０からハンドクリーナ１１２のバイパス空気流路１２３２へと向かわせてもよい。第二の空気流路１４３２は、柄１４４の第二の部分によって形成され、そこを移動する空気流をサイクロン容器アセンブリ１３６による清浄化のためにハンドクリーナ１１２の予備吸気流路１２２８へと向かわせてもよい。
【０２４６】
例示するように、汚染空気入口１２４に入る汚染空気は、柄の上流端３６０で２つの空気流に分かれ、その後第一及び第二の空気流路１４２８と１４３２とを移動してもよい。補足サイクロン容器アセンブリ１６０及びハンドクリーナ１１２のうちのそれぞれ一方によって各空気流から塵が分離されてもよい。図示した実施形態において、これら２つの空気流は予備モータフィルタチャンバ５５６内で再結合されてもよい。例えば、２つの空気流は、共に予備モータフィルタ１１７６及び１１８０を通過してその後吸引モータ２０４から出ていくように上流プレナム１２０８で再結合されてもよい。別の実施形態において、これら２つの空気流は、下流プレナム１２１２で再結合されてもよい。例えば、補足サイクロン容器アセンブリ１６０は、第一の空気流路１４２８の空気を濾過するための独自の予備モータフィルタを備えてもよい。
【０２４７】
幾つかの実施形態において、表面クリーニング装置１６８は、直列に動作する２つ以上の吸引モータを備えてもよい。一態様において、これによって汚染空気入口１２４での吸引力が強化され及び／又は追加の又は高効率の空気処理部材からの吸引力の損失を補うことができる。
【０２４８】
図７１ａ及び図７１ｂを参照すると、第二吸引モータ１２５８は、汚染空気入口１２４とハンドクリーナ１１２との間の空気流路内に配置されてもよい。例えば、第二吸引モータ１２５８は、表面クリーニングヘッド１０４内に配置された汚染空気吸引モータであってもよい。図示するように、汚染空気入口１２４に入る汚染空気は、第二吸引モータ１２５８から吸い込まれ、その後空気流は補足集塵チャンバ１６０及び／又はハンドクリーナ１１２によって清浄化されハンドクリーナの吸引モータ２０４から排気されてもよい。
【０２４９】
図７２を参照すると、第二吸引モータ１２５８は、ハンドクリーナの吸引モータ２０４の下流に配置された清浄空気モータであってもよい。例示するように、ハンドクリーナの吸引モータ２０４のモータ出口１１１２は、空気流路１４３６によって表面クリーニングヘッド１０４内の第二吸引モータ１２５８に流体接続されてもよい。図示するように、空気流路１４３６は、導管１４４０によって形成されてもよい。
【０２５０】
図７３ａを参照すると、幾つかの実施形態において、第二吸引モータ１２５８は、補足サイクロン容器アセンブリ１６０内に配置されてもよい。例えば、第二吸引モータ１２５８は、集塵チャンバ１４０の下に配置されてもよい。図示するように、モータ出口１１１２からの空気流路１４３６は、吸引モータ２０４からの空気を補足サイクロン容器アセンブリ１６０内の第二吸引モータ１２５８へと向かわせてもよい。例えば、導管１４４０は、モータ出口１１１２から第二吸引モータ１２５８へと延びていてもよい。導管１４４０は任意の適切な形式をとってもよい。例えば、導管１４４０は、図示するように固い導管であってよい。或いは、図７３ｂには、導管１４４０が柔らかいホースである実施形態を示す。
【０２５１】
幾つかの実施形態において、ハンドクリーナを補足サイクロン容器アセンブリ１６０に接続する場合、ハンドクリーナ１１２は、表面クリーニング装置を通る空気流路内に配置されなくてもよい。例えば、表面クリーニングヘッドの汚染空気入口１２４に入る空気は、補足サイクロン容器アセンブリ１６０によって清浄化され、ハンドクリーナ１１２を通過せずに排気されてもよい。このように、ハンドクリーナ１１２は、直立モードでの表面クリーニング装置１６８を操作及び操縦するためのハンドグリップとして作用し、空気清浄器具としては作用しなくてもよい。
【０２５２】
幾つかの実施形態において、図７４に例示するように、アセンブリ１６０を直立部１０８に取り付けた場合、ハンドクリーナをバイパスしてもよい。例示するように、汚染空気入口１２４に入る空気は、柄１４４を通過して補足サイクロン容器アセンブリ１６０に移動し、ハンドクリーナ１１２を通過することなく排気されてもよい。例えば、表面クリーニング装置１６８を通過する空気流路は、汚染空気入口１２４からの全ての空気を、柄１４４を介してサイクロンチャンバ３０８へ、出口流路４７６へ、第二空気流路１２６０へ、補足サイクロン容器アセンブリ１６０の吸引モータ１２５８へと向かわせ、そこから空気が外部環境へと排気されてもよい。
【０２５３】
更に図７４を参照すると、幾つかの実施形態において、直列の複数の吸引モータがあってもよい。図示した実施形態において、表面クリーニングヘッド１０４は、汚染空気入口１２４と柄１４４との間の空気流路に配置された吸引モータ１２５８を備える。別の実施形態において、吸引モータ１２５８は、空気流路内の唯一の吸引モータであってよい。
【０２５４】
実施形態の例について上述のように説明してきたが、記載した実施形態の幾つかの特徴及び／又は機能は、記載した実施形態の精神や動作原理から逸脱することなく変更が可能である。従って、上述の実施形態は、本発明を例示するものであって限定するものではなく、当業者であれば添付の請求項に記載の発明の範囲から逸脱することなく、様々な変更や改良が可能であることを理解されるであろう。請求項の範囲は、好ましい実施形態や実施例によって限定されず、記載全体と一致した最も広い解釈が与えられるべきである。
【図１】
0006786492.tif 000002
【図２】
0006786492.tif 000003
【図３】
0006786492.tif 000004
【図４】
0006786492.tif 000005
【図５】
0006786492.tif 000006
【図６】
0006786492.tif 000007
【図６ａ】
0006786492.tif 000008
【図７】
0006786492.tif 000009
【図８】
0006786492.tif 000010
【図９】
0006786492.tif 000011
【図１０】
0006786492.tif 000012
【図１１】
0006786492.tif 000013
【図１１ａ】
0006786492.tif 000014
【図１２】
0006786492.tif 000015
【図１３】
0006786492.tif 000016
【図１４】
0006786492.tif 000017
【図１５】
0006786492.tif 000018
【図１６】
0006786492.tif 000019
【図１７】
0006786492.tif 000020
【図１８】
0006786492.tif 000021
【図１９】
0006786492.tif 000022
【図２０】
0006786492.tif 000023
【図２１】
0006786492.tif 000024
【図２２】
0006786492.tif 000025
【図２３】
0006786492.tif 000026
【図２４】
0006786492.tif 000027
【図２５】
0006786492.tif 000028
【図２６】
0006786492.tif 000029
【図２７】
0006786492.tif 000030
【図２８】
0006786492.tif 000031
【図２９】
0006786492.tif 000032
【図２９ａ】
0006786492.tif 000033
【図２９ｂ】
0006786492.tif 000034
【図３０】
0006786492.tif 000035
【図３１】
0006786492.tif 000036
【図３２】
0006786492.tif 000037
【図３３】
0006786492.tif 000038
【図３４】
0006786492.tif 000039
【図３５】
0006786492.tif 000040
【図３６】
0006786492.tif 000041
【図３７】
0006786492.tif 000042
【図３８】
0006786492.tif 000043
【図３９】
0006786492.tif 000044
【図４０】
0006786492.tif 000045
【図４１】
0006786492.tif 000046
【図４２】
0006786492.tif 000047
【図４３】
0006786492.tif 000048
【図４４】
0006786492.tif 000049
【図４５】
0006786492.tif 000050
【図４６】
0006786492.tif 000051
【図４７】
0006786492.tif 000052
【図４８】
0006786492.tif 000053
【図４９】
0006786492.tif 000054
【図５０】
0006786492.tif 000055
【図５１】
0006786492.tif 000056
【図５２】
0006786492.tif 000057
【図５３】
0006786492.tif 000058
【図５４】
0006786492.tif 000059
【図５５】
0006786492.tif 000060
【図５６】
0006786492.tif 000061
【図５７】
0006786492.tif 000062
【図５８】
0006786492.tif 000063
【図５９】
0006786492.tif 000064
【図６０】
0006786492.tif 000065
【図６１ａ】
0006786492.tif 000066
【図６１ｂ】
0006786492.tif 000067
【図６２ａ】
0006786492.tif 000068
【図６２ｂ】
0006786492.tif 000069
【図６３】
0006786492.tif 000070
【図６４】
0006786492.tif 000071
【図６５】
0006786492.tif 000072
【図６６】
0006786492.tif 000073
【図６７】
0006786492.tif 000074
【図６８ａ】
0006786492.tif 000075
【図６８ｂ】
0006786492.tif 000076
【図６９ａ】
0006786492.tif 000077
【図６９ｂ】
0006786492.tif 000078
【図７０】
0006786492.tif 000079
【図７１ａ】
0006786492.tif 000080
【図７１ｂ】
0006786492.tif 000081
【図７２】
0006786492.tif 000082
【図７３ａ】
0006786492.tif 000083
【図７３ｂ】
0006786492.tif 000084
【図７４】
0006786492.tif 000085